(57)【要約】【課題】移動端末ＭＮ１がソフトハンドオーバを行っている際に、ネットワーク内に存在する制御ポイントを、データのロスを発生させること無く変更することが可能な無線データ通信方法等を提供する。【解決手段】第１の無線制御装置ＲＴ２から移動端末ＭＮ１に対して、第２の無線制御装置ＡＲ１及び基地局ＡＰ１乃至ＡＰ３を介してデータを送信する下り方向（又は、逆方向である上り方向）の無線データ通信において、移動端末ＭＮ１がソフトハンドオーバを行っている際に、第１の無線制御装置ＲＴ２又は第２の無線制御装置ＡＲ１の少なくても一つが、移動端末ＭＮ１のソフトハンドオーバに係る処理を行う無線データ通信方法であって、移動端末ＭＮ１がソフトハンドオーバを行っている際に、移動端末ＭＮ１のソフトハンドオーバに係る処理を行う第１の無線制御装置ＲＴ２又は第２の無線制御装置ＡＲ１が変更されることを要旨とする。【選択図】      図５
2004260620.tif 000002
【特許請求の範囲】
【請求項１】
第１の無線制御装置から移動端末に対して、第２の無線制御装置及び基地局を介してデータを送信する下り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法であって、
前記移動端末のソフトハンドオーバに係る処理は、
前記移動端末がソフトハンドオーバを行っている際に接続している全ての基地局に対してデータを送信する第１の送信タイミングを決定する工程と、
前記データを分割して、該分割データの各々にシーケンスナンバを付与する工程と、
前記第１の送信タイミングで、前記全ての基地局に対して前記分割データの各々を送信する工程とを有し、
前記移動端末がソフトハンドオーバを行っている際に、該移動端末のソフトハンドオーバに係る処理を行う無線制御装置が変更されることを特徴とする無線データ通信方法。
【請求項２】
前記第２の無線制御装置が、前記移動端末のソフトハンドオーバに係る処理を行っている場合に、サーバ装置が、該移動端末からの通知に応じて、前記第１の無線制御装置が、該第２の無線制御装置と共に、該移動端末のソフトハンドオーバに係る処理を行うように決定する工程Ａと、
前記サーバ装置が、前記決定結果について、前記第１の無線制御装置及び前記第２の無線制御装置に通知する工程Ｂと、
前記第１の無線制御装置が、前記第２の無線制御装置から、前記シーケンスナンバの付与状況を引き継ぐ工程Ｃと、
前記第１の無線制御装置が、前記第２の無線制御装置に対してデータを送信する第２の送信タイミングを決定する工程Ｄと、
前記第１の無線制御装置が、前記シーケンスナンバの付与状況に基づいて、前記分割データの各々に前記シーケンスナンバを付与する工程Ｅと、
前記第１の無線制御装置が、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該第１の無線制御装置が管理している基地局に対して、該分割データの各々を送信する工程Ｆと、
前記第２の無線制御装置が、前記第１の送信タイミングで、前記移動端末がソフトハンドオーバを行っている際に接続している基地局のうち、該第２の無線制御装置が管理している基地局に対して、前記第１の無線制御装置からの前記分割データの各々を送信する工程Ｇとを有することを特徴とする請求項１に記載の無線データ通信方法。
【請求項３】
前記工程Ｃは、
前記第１の無線制御装置が、前記データを分割し、前記第２の無線制御装置に対して、前記シーケンスナンバの付与状況を要求する情報を前記分割データに付加して送信する工程と、
前記第２の無線制御装置が、前記第１の無線制御装置からの前記分割データの各々に前記シーケンスナンバを付与し、前記全ての基地局に対して該分割データの各々を送信する工程と、
前記第２の無線制御装置が、前記シーケンスナンバの付与状況を要求する情報が付加された前記分割データに付与した前記シーケンスナンバを、前記第１の無線制御装置に通知する工程と、
前記第１の無線制御装置が、前記第２の無線制御装置から通知された前記シーケンスナンバと、前記シーケンスナンバの付与状況を要求する情報が付加された前記分割データを送信してから該シーケンスナンバを受信するまでに送信した前記分割データの数とに応じて、前記シーケンスナンバの付与状況を引き継ぐ工程とを有することを特徴とする請求項２に記載の無線データ通信方法。
【請求項４】
前記第１の無線制御装置及び前記第２の無線制御装置が、前記移動端末のソフトハンドオーバに係る処理を行っている場合に、サーバ装置が、該移動端末からの通知に応じて、前記第１の無線制御装置が、該移動端末のソフトハンドオーバに係る処理を行わないように決定する工程と、
前記サーバ装置が、前記決定結果について、前記第１の無線制御装置及び前記第２の無線制御装置に通知する工程と、
前記第１の無線制御装置が、前記データを分割することなく、かつ、該データに前記シーケンスナンバを付与することなく、該データを前記第２の無線制御装置に対して送信する工程と、
前記第２の無線制御装置が、前記第１の無線制御装置からの前記データが分割されていないこと、又は、前記シーケンスナンバを付与されていないことのいずれかを検出した場合、該データを分割し、該第１の無線制御装置による前記シーケンスナンバの付与状況に基づいて、該分割データの各々に前記シーケンスナンバを付与する工程と、
前記第２の無線制御装置が、前記第１の送信タイミングで、前記移動端末がソフトハンドオーバを行っている際に接続している全ての基地局に対して、前記分割データの各々を送信する工程とを有することを特徴とする請求項１に記載の無線データ通信方法。
【請求項５】
前記第１の無線制御装置及び前記第２の無線制御装置が、前記移動端末のソフトハンドオーバに係る処理を行っている場合に、サーバ装置が、該移動端末からの通知に応じて、該第２の無線制御装置が、該移動端末のソフトハンドオーバに係る処理を行わないように決定する工程と、
前記サーバ装置が、前記決定結果について、前記第１の無線制御装置及び前記第２の無線制御装置に通知する工程と、
前記第１の無線制御装置が、前記データを分割し、前記分割データの各々に前記シーケンスナンバを付与する工程と、
前記第１の無線制御装置が、前記第１の送信タイミングで、前記移動端末がソフトハンドオーバを行っている際に接続している全ての基地局に対して、前記分割データの各々を送信する工程とを有することを特徴とする請求項１に記載の無線データ通信方法。
【請求項６】
前記第１の無線制御装置が、前記移動端末のソフトハンドオーバに係る処理を行っている場合に、サーバ装置が、該移動端末からの通知に応じて、前記第２の無線制御装置が、該第１の無線制御装置と共に、該移動端末のソフトハンドオーバに係る処理を行うように決定する工程と、
前記サーバ装置が、前記決定結果について、前記第１の無線制御装置及び前記第２の無線制御装置に通知する工程と、
前記第１の無線制御装置が、前記第２の無線制御装置に対してデータを送信する第２の送信タイミングを決定する工程と、
前記第１の無線制御装置が、前記データを分割し、該分割データの各々に前記シーケンスナンバを付与する工程と、
前記第１の無線制御装置が、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該第１の無線制御装置が管理している基地局に対して、前記分割データの各々を送信する工程と、
前記第２の無線制御装置が、前記第１の送信タイミングで、前記移動端末がソフトハンドオーバを行っている際に接続している基地局のうち、該第２の無線制御装置が管理している基地局に対して、前記第１の無線制御装置からの前記分割データの各々を送信する工程とを有することを特徴とする請求項１に記載の無線データ通信方法。
【請求項７】
移動端末から第１の無線制御装置に対して、基地局及び第２の無線制御装置を介してデータを送信する上り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法であって、
前記移動端末のソフトハンドオーバに係る処理は、
前記移動端末がソフトハンドオーバを行っている際に接続している全ての基地局からの分割データの選択合成を行う工程と、
前記選択合成された分割データから前記データを再構築する工程とを有し、
前記移動端末がソフトハンドオーバを行っている際に、該移動端末のソフトハンドオーバに係る処理を行う無線制御装置が変更されることを特徴とする無線データ通信方法。
【請求項８】
前記第２の無線制御装置が、前記移動端末のソフトハンドオーバに係る処理を行っている場合に、サーバ装置が、該移動端末からの通知に応じて、前記第１の無線制御装置が、該第２の無線制御装置と共に、該移動端末のソフトハンドオーバに係る処理を行うように決定する工程と、
前記サーバ装置が、前記決定結果について、前記第１の無線制御装置及び前記第２の無線制御装置に通知する工程と、
前記第２の無線制御装置が、前記移動端末がソフトハンドオーバを行っている際に接続している基地局のうち、該第２の無線制御装置が管理している基地局からの前記分割データの選択合成を行う工程と、
前記第１の無線制御装置が、前記第２の無線制御装置からの前記選択合成された分割データと、前記移動端末がソフトハンドオーバを行っている際に接続している基地局のうち、該第１の無線制御装置が管理している基地局からの前記分割データとについて選択合成を行う工程と、
前記選択合成された分割データから前記データを再構築する工程とを有することを特徴とする請求項７に記載の無線データ通信方法。
【請求項９】
前記第１の無線制御装置及び前記第２の無線制御装置が、前記移動端末のソフトハンドオーバに係る処理を行っている場合に、サーバ装置が、該移動端末からの通知に応じて、該第１の無線制御装置が、該移動端末のソフトハンドオーバに係る処理を行わないように決定する工程と、
前記サーバ装置が、前記決定結果について、前記第１の無線制御装置及び前記第２の無線制御装置に通知する工程と、
前記第２の無線制御装置が、前記移動端末がソフトハンドオーバを行っている際に接続している基地局のうち、該第２の無線制御装置が管理している基地局からの前記分割データの選択合成を行う工程と、
前記第２の無線制御装置が、前記選択合成された分割データから前記データを再構築すると共に、その旨を前記第１の無線制御装置に通知する工程と、
前記第１の無線制御装置が、前記第２の無線制御装置からの通知に応じて、前記分割データの前記選択合成及び前記再構築を停止する工程とを有することを特徴とする請求項７に記載の無線データ通信方法。
【請求項１０】
前記第１の無線制御装置及び前記第２の無線制御装置が、前記移動端末のソフトハンドオーバに係る処理を行っている場合に、サーバ装置が、該移動端末からの通知に応じて、該第２の無線制御装置が、該移動端末のソフトハンドオーバに係る処理を行わないように決定する工程と、
前記サーバ装置が、前記決定結果について、前記第１の無線制御装置及び前記第２の無線制御装置に通知する工程と、
前記第２の無線制御装置が、前記移動端末がソフトハンドオーバを行っている際に接続している基地局のうち、該第２の無線制御装置が管理している基地局からの前記分割データの選択合成を停止して、該分割データを前記第１の無線制御装置に転送する工程と、
前記第１の無線制御装置が、前記第２の無線制御装置から転送された前記分割データと、前記移動端末がソフトハンドオーバを行っている際に接続している基地局のうち、該第１の無線制御装置が管理している基地局からの前記分割データとについて選択合成を行う工程と、
前記選択合成された分割データから前記データを再構築する工程とを有することを特徴とする請求項７に記載の無線データ通信方法。
【請求項１１】
前記第１の無線制御装置が、前記移動端末のソフトハンドオーバに係る処理を行っている場合に、サーバ装置が、該移動端末からの通知に応じて、前記第２の無線制御装置が、該第１の無線制御装置と共に、該移動端末のソフトハンドオーバに係る処理を行うように決定する工程と、
前記サーバ装置が、前記決定結果について、前記第１の無線制御装置及び前記第２の無線制御装置に通知する工程と、
前記第２の無線制御装置が、前記サーバ装置からの通知に応じて、前記移動端末がソフトハンドオーバを行っている際に接続している基地局のうち、該第２の無線制御装置が管理している基地局からの前記分割データの選択合成を行う工程と、
前記第１の無線制御装置が、前記第２の無線制御装置からの前記選択合成された分割データと、前記移動端末がソフトハンドオーバを行っている際に接続している基地局のうち、該第１の無線制御装置が管理している基地局からの前記分割データとについて選択合成を行う工程と、
前記選択合成された分割データから前記データを再構築する工程とを有することを特徴とする請求項７に記載の無線データ通信方法。
【請求項１２】
第１の無線制御装置から移動端末に対して、第２の無線制御装置及び基地局を介してデータを送信する下り方向の無線データ通信、又は、移動端末から第１の無線制御装置に対して、基地局及び第２の無線制御装置を介してデータを送信する上り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法を制御するサーバ装置であって、
前記移動端末がソフトハンドオーバを行っている際に、該移動端末からの通知に応じて、該移動端末のソフトハンドオーバに係る処理を行う無線制御装置を変更するように決定する決定部と、
前記決定結果について、該変更に関連する無線制御装置に通知する通知部とを具備することを特徴とするサーバ装置。
【請求項１３】
基地局を介して移動端末に対してデータを送信する下り方向の無線データ通信において、前記移動端末がソフトハンドオーバを行っている際に、該移動端末のソフトハンドオーバに係る処理を行う無線制御装置であって、
第１の無線制御装置として前記移動端末のソフトハンドオーバに係る処理を行うように指示する通知を受信する通知受信部と、
前記通知に応じて、前記データを分割するデータ分割部と、
前記通知に応じて、前記シーケンスナンバの付与状況に基づいて、前記分割データの各々にシーケンスナンバを付与するシーケンスナンバ付与部と、
前記通知に応じて、前記移動端末がソフトハンドオーバを行っている際に接続している基地局のうち該無線制御装置が管理している基地局に対してデータを送信する第１の送信タイミングと、第２の無線制御装置に対してデータを送信する第２の送信タイミングを決定する送信タイミング決定部と、
前記通知に応じて、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該無線制御装置が管理している基地局に対して、該分割データの各々を送信するデータ送信部とを具備することを特徴とする無線制御装置。
【請求項１４】
前記データ送信部は、前記第２の無線制御装置に対して、前記シーケンスナンバの付与状況を要求する情報を前記分割データに付加して送信し、
前記シーケンスナンバ付与部は、前記第２の無線制御装置から通知された前記シーケンスナンバの付与状況を要求する情報が付加された前記分割データに付与した前記シーケンスナンバと、前記シーケンスナンバの付与状況を要求する情報が付加された前記分割データを送信してから該シーケンスナンバを受信するまでに送信した前記分割データの数とに応じて、前記シーケンスナンバの付与状況を引き継ぐことを特徴とする請求項１３に記載の無線制御装置。
【請求項１５】
基地局を介して移動端末に対してデータを送信する下り方向の無線データ通信において、前記移動端末がソフトハンドオーバを行っている際に、該移動端末のソフトハンドオーバに係る処理を行う無線制御装置であって、
第２の無線制御装置として前記移動端末のソフトハンドオーバに係る処理を行うように指示する通知を受信する通知受信部と、
前記通知に応じて、前記移動端末がソフトハンドオーバを行っている際に接続している基地局のうち該無線制御装置が管理している基地局に対してデータを送信する第１の送信タイミングを決定する送信タイミング決定部と、
前記通知に応じて、前記第１の送信タイミングで、前記移動端末がソフトハンドオーバを行っている際に接続している基地局のうち、該無線制御装置が管理している基地局に対して、第１の無線制御装置からの分割データの各々を転送するデータ送信部とを具備することを特徴とする無線制御装置。
【請求項１６】
基地局を介して移動端末に対してデータを送信する下り方向の無線データ通信において、前記移動端末がソフトハンドオーバを行っている際に、該移動端末のソフトハンドオーバに係る処理を行う無線制御装置であって、
前記移動端末のソフトハンドオーバに係る処理を行わないように指示する通知を受信する通知受信部と、
前記通知に応じて、前記データを分割することなくデータを転送するデータ送信部とを具備することを特徴とする無線制御装置。
【請求項１７】
移動端末から基地局を介してデータを送信する上り方向の無線データ通信において、前記移動端末がソフトハンドオーバを行っている際に、該移動端末のソフトハンドオーバに係る処理を行う無線制御装置であって、
第１の無線制御装置として前記移動端末のソフトハンドオーバに係る処理を行うように指示する通知を受信する通知受信部と、
前記通知に応じて、前記移動端末がソフトハンドオーバを行っている際に接続している全ての基地局からの分割データの選択合成を行う選択合成部と、
前記通知に応じて、前記選択合成された分割データから前記データを再構築する再構築部とを具備することを特徴とする無線制御装置。
【請求項１８】
移動端末から基地局を介してデータを送信する上り方向の無線データ通信において、前記移動端末がソフトハンドオーバを行っている際に、該移動端末のソフトハンドオーバに係る処理を行う無線制御装置であって、
第２の無線制御装置として前記移動端末のソフトハンドオーバに係る処理を行うように指示する通知を受信する通知受信部と、
前記通知に応じて、前記移動端末がソフトハンドオーバを行っている際に接続している全ての基地局のうち、該無線制御装置が管理する基地局からの分割データの選択合成を行う選択合成部と、
前記通知に応じて、前記選択合成された分割データを第１の無線制御装置に送信するデータ送信部とを具備することを特徴とする無線制御装置。
【請求項１９】
移動端末から基地局を介してデータを送信する上り方向の無線データ通信において、前記移動端末がソフトハンドオーバを行っている際に、該移動端末のソフトハンドオーバに係る処理を行う無線制御装置であって、
前記移動端末のソフトハンドオーバに係る処理を行わないように指示する通知を受信する通知受信部と、
前記通知に応じて、前記移動端末がソフトハンドオーバを行っている際に接続している全ての基地局のうち、該無線制御装置が管理する基地局からの分割データを、選択合成を行うことなく、第１の無線制御装置に送信するデータ送信部とを具備することを特徴とする無線制御装置。
【発明の詳細な説明】
【０００１】
【発明の属する技術分野】
本発明は、無線データ通信方法、サーバ装置及び無線制御装置に関する。
【０００２】
【従来の技術】
従来、３ＧＰＰ（３ｒｄ  Ｇｅｎｅｒａｔｉｏｎ  Ｐａｒｔｎｅｒｓｈｉｐ  Ｐｒｏｊｅｃｔ）により標準化されている無線通信システムとして、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）が知られている。
【０００３】
ＵＭＴＳにおいては、無線通信技術として、Ｗ−ＣＤＭＡを採用し、移動端末のハンドオーバ方式の１つとして、ソフトハンドオーバ（ダイバーシチハンドオーバ）を提供している。ソフトハンドオーバは、移動端末が複数の基地局と同時に接続して通信を行うため、データのロスを発生させずにハンドオーバを行う事が出来るという利点がある。
【０００４】
図１５乃至図１７を参照して、ＵＭＴＳにおけるソフトハンドオーバに係る処理について説明する。
【０００５】
ＵＭＴＳに係るネットワークは、図１５に示すように、移動加入者交換機（ＭＳＣ：Ｍｏｂｉｌｅ  ｓｅｒｖｉｃｅｓ  Ｓｗｉｔｃｈｉｎｇ  Ｃｅｎｔｅｒ／ＳＧＳＮ：Ｓｅｒｖｉｎｇ  ＧＰＲＳ  Ｓｕｐｐｏｒｔ  Ｎｏｄｅ）や移動関門交換機（ＧＭＳＣ：Ｇａｔｅｗａｙ  ＭＳＣ／ＧＧＳＮ：Ｇａｔｅｗａｙ  ＧＰＲＳ  Ｓｕｐｐｏｒｔ  Ｎｏｄｅ）等を具備するコアネットワークと、無線制御装置ＲＮＣ（Ｒａｄｉｏ  Ｎｅｔｗｏｒｋ  Ｃｏｎｔｒｏｌｌｅｒ）及び基地局ＮｏｄｅＢを具備する無線アクセスネットワークＲＡＮ（Ｒａｄｉｏ  Ａｃｃｅｓｓ  Ｎｅｔｗｏｒｋ）とから構成される。
【０００６】
ＵＭＴＳに係るネットワークにおいて、ソフトハンドオーバに係る処理は、無線制御装置ＲＡＮにおいて行われる。
【０００７】
例えば、図１５に示すように、移動端末ＭＮ（Ｍｏｂｉｌｅ  Ｎｏｄｅ）１によって開始された無線通信におけるデータ送受信の経路上に存在する無線制御装置ＲＮＣ１が、移動端末ＭＮ１の当該無線通信に対してのＳＲＮＣ（Ｓｅｒｖｉｎｇ−ＲＮＣ）となり、ＳＲＮＣが、当該無線通信において、当該移動端末ＭＮ１のソフトハンドオーバに係る処理を行う（例えば、非特許文献１参照）。ここで、ＳＲＮＣは、特定の無線通信に対して１つだけ存在する。
【０００８】
下り方向の無線データ通信において、ソフトハンドオーバの実現に必要な処理として、移動端末ＭＮ１が接続する基地局ＮｏｄｅＢ（接続基地局ＮｏｄｅＢ２，３）と無線制御装置ＳＲＮＣとの間のデータ遅延の測定（複数の基地局ＮｏｄｅＢ２，３からのデータを移動端末ＭＮ１に同時に受信させるために、すなわち、到着同期制御のために必要な処理）や、無線制御装置ＳＲＮＣの持つクロックと接続基地局ＮｏｄｅＢ２，３の持つクロックとのタイミング差の測定や、無線制御装置ＳＲＮＣから接続基地局ＮｏｄｅＢ２，３への送信タイミングの決定及び指示や、接続基地局ＮｏｄｅＢ２，３から移動端末ＭＮ１への送信タイミングの決定及び指示や、各接続基地局ＮｏｄｅＢ２，３から移動端末ＭＮ１への受信タイミングの指示や、移動加入者交換機ＭＳＣ／ＳＧＳＮから受信したＬ３フレーム形式のデータのＬ２フレーム形式のデータへの分割や、分割データ（Ｌ２フレーム形式）と上述の送信タイミングとを関連を付けるために必要なシーケンスナンバの付与や、接続基地局ＮｏｄｅＢ２，３に対応した数だけの分割データのコピーや、送信タイミングに基づく分割データの送信等の処理が挙げられる。
【０００９】
また、上り方向の無線データ通信において、ソフトハンドオーバの実現に必要な処理として、移動端末ＭＮ１から各接続基地局ＮｏｄｅＢ２，３経由で送信されてくるデータ（Ｌ２フレーム形式）の選択合成や、必要に応じて移動端末ＭＮ１と無線制御装置ＳＲＮＣとの間で行うＬ２フレーム単位の再送制御や、選択合成（又は、再送制御）後のＬ２形式のデータをＬ３フレーム形式のデータへ組み上げる再構築制御等処理が挙げられる（非特許文献２及び３参照）。
【００１０】
図１６及び図１７を参照して、図１に示すＵＭＴＳに係るネットワークにおいて、ＳＲＮＣであるＲＮＣ１が、移動端末ＭＮ１のソフトハンドオーバに係る処理を行う様子を、移動端末ＭＮ１が、無線データ通信を開始した時、及び、移動端末ＭＮ１が基地局ＮｏｄｅＢ３へのソフトハンドオーバを開始した時（基地局ＮｏｄｅＢ３へのブランチを追加する時）の例について説明する。
【００１１】
第１に、図１６を参照して、下り方向の無線データ通信の場合について説明する。
【００１２】
ステップ１００１において、無線データ通信の開始時に、無線制御装置ＳＲＮＣ（すなわち、ＲＮＣ１）は、基地局ＮｏｄｅＢ２との間のデータ遅延、及び、無線制御装置ＳＲＮＣの持つクロックと基地局ＮｏｄｅＢ２の持つクロックとのタイミング差を測定する。但し、この測定は、システム構築時に行われていてもよい（以下、全て同様）。
【００１３】
ステップ１００２において、無線制御装置ＳＲＮＣは、この測定結果に基づき、
無線制御装置ＳＲＮＣから基地局ＮｏｄｅＢ２への送信タイミング（無線制御装置ＳＲＮＣのクロックがどの値の時にどのシーケンスナンバのデータを送信するか）と、基地局ＮｏｄｅＢ２から移動端末ＭＮ１への送信タイミング（基地局ＮｏｄｅＢ２のクロックがどの値の時にどのシーケンスナンバのフレームを送信するか）と、移動端末ＭＮ１の受信タイミング（基地局ＮｏｄｅＢ２から通知されているクロックがどの値の時にどのシーケンスナンバのフレームを受信するか）とを決定する。
【００１４】
無線制御装置ＳＲＮＣは、ステップ１００３において、移動端末ＭＮ１に対して、当該移動端末ＭＮ１の受信タイミングを通知し、ステップ１００４において、基地局ＮｏｄｅＢ２に対して、当該基地局ＮｏｄｅＢ２から移動端末ＭＮ１への送信タイミングを通知する。
【００１５】
無線制御装置ＳＲＮＣは、ステップ１００５において、移動加入者交換機ＭＳＣ／ＳＧＳＮ１から、Ｌ３フレーム形式のデータを受信すると、ステップ１００６において、当該Ｌ３フレーム形式のデータをＬ２フレーム形式のデータへ分割し、分割データの各々にシーケンスナンバを付与する。
【００１６】
ステップ１００７において、無線制御装置ＳＲＮＣは、ステップ１００２で決定した無線制御装置ＳＲＮＣから基地局ＮｏｄｅＢ２への送信タイミングで、分割データ（Ｌ２フレーム形式）を基地局ＮｏｄｅＢ２に送信する。ステップ１００８において、基地局ＮｏｄｅＢ２は、ステップ１００４で通知された基地局ＮｏｄｅＢ２から移動端末ＭＮ１への送信タイミングで、分割データ（Ｌ２フレーム形式）を移動端末ＭＮ１に送信する。
【００１７】
次に、移動端末ＭＮ１が、基地局ＮｏｄｅＢ３へのブランチを追加する場合、ステップ１０１１において、移動端末ＭＮ１が、基地局ＮｏｄｅＢ３との間の電波状況を監視し、基地局ＮｏｄｅＢ３との間の電波環境が良好になったことを検出する。ステップ１０１２において、移動端末ＭＮ１が、無線制御装置ＳＲＮＣに、その旨を報告（レポート）する。
【００１８】
ステップ１０１３において、移動端末ＭＮ１は、基地局ＮｏｄｅＢ２から通知されているクロックと基地局ＮｏｄｅＢ３から通知されているクロックとのタイミング差を測定して、無線制御装置ＳＲＮＣに通知する。
【００１９】
ステップ１０１４において、無線制御装置ＳＲＮＣは、基地局ＮｏｄｅＢ３との間のデータ遅延、及び、無線制御装置ＳＲＮＣの持つクロックと基地局ＮｏｄｅＢ３の持つクロックとのタイミング差を測定する。
【００２０】
ステップ１０１５において、無線制御装置ＳＲＮＣは、この測定結果に基づいて、移動端末ＭＮ１が基地局ＮｏｄｅＢ２及び基地局ＮｏｄｅＢ３から同じデータを同じタイミングで受信できるように、基地局ＮｏｄｅＢ３から移動端末ＭＮ１への送信タイミングと、無線制御装置ＳＲＮＣから基地局ＮｏｄｅＢ３への送信タイミングとを決定する。
【００２１】
ステップ１０１６において、無線制御装置ＳＲＮＣは、基地局ＮｏｄｅＢ３に対して、当該基地局ＮｏｄｅＢ３から移動端末ＭＮ１への送信タイミングを通知する。
【００２２】
無線制御装置ＳＲＮＣは、ステップ１０１７において、移動加入者交換機ＭＳＣ／ＳＧＳＮ１からＬ３フレーム形式のデータを受信すると、ステップ１０１８において、Ｌ３フレーム形式のデータをＬ２フレーム形式のデータに分割し、シーケンスナンバの付与状況に基づいてシーケンスナンバを当該分割データに付与し、当該分割データを基地局ＮｏｄｅＢ２及び基地局ＮｏｄｅＢ３に送信するために、コピーによって２つの分割データを生成する。
【００２３】
ステップ１０１９において、無線制御装置ＳＲＮＣは、上述の送信タイミングで、２つの分割データ（Ｌ２フレーム形式）を、基地局ＮｏｄｅＢ２及び基地局ＮｏｄｅＢ３のそれぞれに送信し、基地局ＮｏｄｅＢ２及び基地局ＮｏｄｅＢ３の各々は、上述の送信タイミングで、分割データを移動端末ＭＮ１に対して送信する。
【００２４】
この結果、移動端末ＭＮ１は、基地局ＮｏｄｅＢ２及び基地局ＮｏｄｅＢ３から同じデータを同時に受信する事が可能となる。
【００２５】
第２に、図１７を参照して、上り方向の無線データ通信の場合について説明する。
【００２６】
ステップ１１０１において、無線データ通信の開始時に、移動端末ＭＮ１から送信されたＬ２フレーム形式のデータは、基地局ＮｏｄｅＢ２のみを経由して無線制御装置ＳＲＮＣに送信されている。ここで、移動端末ＭＮ１は、Ｌ３フレーム形式のデータをＬ２フレーム形式のデータに分割し、各分割データにシーケンスナンバを付与した形態で送信している。
【００２７】
ステップ１１０２において、無線制御装置ＳＲＮＣは、基地局ＮｏｄｅＢ２を介して受信したデータについて、必要であれば、移動端末ＭＮ１との間で再送制御を行う。
【００２８】
無線制御装置ＳＲＮＣは、ステップ１１０３において、Ｌ２フレーム形式のデータを組み合わせて元のＬ３フレーム形式のデータを再構築し、ステップ１１０４において、再構築後のＬ３フレーム形式のデータを、移動加入者交換機ＭＳＣ／ＳＧＳＮ１へ送信する。
【００２９】
次に、移動端末ＭＮ１が、基地局ＮｏｄｅＢ３へのブランチを追加する場合、ステップ１１１１及び１１１２において、移動端末ＭＮ１からのＬ２フレーム形式のデータは、基地局ＮｏｄｅＢ２及び基地局ＮｏｄｅＢ３をそれぞれ経由して無線制御装置ＳＲＮＣに送信される。
【００３０】
ステップ１１１３において、無線制御装置ＳＲＮＣは、受信したデータに対して、同じシーケンスナンバを持つＬ２フレーム形式のデータ（分割データ）同士で選択合成を行い、必要であれば、その後、移動端末ＭＮ１との間で再送制御を行い、選択合成したＬ２フレーム形式のデータを組み合わせて元のＬ３フレーム形式のデータを再構築する。
【００３１】
ステップ１１１４において、無線制御装置ＳＲＮＣは、再構築したＬ３フレーム形式のデータを、移動加入者交換機ＭＳＣ／ＳＧＳＮ１へ送信する。
【００３２】
この結果、複数の基地局ＮｏｄｅＢ２及び基地局ＮｏｄｅＢ３からのデータを１つにして通信相手ＣＮ１に送信する制御を可能にしている。
【００３３】
以上のように、従来のＵＭＴＳでは、ソフトハンドオーバに係る処理が、１つの無線制御装置ＳＲＮＣで固定的に行われており、無線データ通信中に、ソフトハンドオーバに係る処理を行う無線制御装置ＳＲＮＣが変化する事は無い。
【００３４】
また、移動端末ＭＮ１が、無線制御装置ＲＮＣを跨ってハンドオーバする場合には、加入者線延長方式が採用されており（例えば、非特許文献１参照）、必ず、無線制御装置ＳＲＮＣを経由して、各基地局ＮｏｄｅＢへのデータの送受信が行われる。
【００３５】
例えば、図１５では、ＳＲＮＣである無線制御装置ＲＮＣ１と基地局ＮｏｄｅＢ３との間の下り方向のデータ及び上り方向のデータは、移動加入者交換機ＭＳＣ／ＳＧＳＮ１と無線制御装置ＲＮＣ２とを経由して送受信される。しかし、無線制御装置ＲＮＣ２は、単にデータの中継を行っているだけであり、ソフトハンドオーバの処理は、依然として、ＳＲＮＣである無線制御装置ＲＮＣ１のみで行われている。
【００３６】
【非特許文献１】
３ＧＰＰ  ＴＲ  ２５．８３２  “Ｍａｎｉｆｅｓｔａｔｉｏｎｓ  ｏｆ
Ｈａｎｄｏｖｅｒ  ａｎｄ  ＳＲＮＳ  Ｒｅｌｏｃａｔｉｏｎ”
【００３７】
【非特許文献２】
３ＧＰＰ  ＴＳ  ２５．４２７  “ＵＴＲＡＮ  Ｉｕｂ／Ｉｕｒ  ｉｎｔｅｒｆａｃｅ  ｕｓｅｒ  ｐｌａｎｅ  ｐｒｏｔｏｃｏｌ  ｆｏｒ  ＤＣＨ  ｄａｔａ  ｓｃｒｅａｍｓ  （Ｒｅｌｅａｓｅ  １９９９）”
【００３８】
【非特許文献３】
３ＧＰＰ  ＴＳ  ２５．３２２  “Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ  （Ｒｅｌｅａｓｅ  １９９９）”
【００３９】
【発明が解決しようとする課題】
しかしながら、上述した従来技術においては、ソフトハンドオーバによる通信中に、制御ポイント（ＳＲＮＣ）を移動させるための制御の引継ぎ方法が規定されていないという問題点があった。これは、ＵＭＴＳにおいて、階層的な構造をしたネットワークの中で、いずれかの無線制御装置ＲＮＣのみが、ソフトハンドオーバに係る処理を行い、通信中にソフトハンドオーバに係る処理を行う無線制御装置ＲＮＣを変更しないと規定されていることに起因する。
【００４０】
また、ＵＭＴＳでは、通信中にデータ送受信の経路を切り換える方法として、「ＳＲＮＣ  Ｒｅｌｏｃａｔｉｏｎ」方式が規定されている。
【００４１】
しかしながら、「ＳＲＮＣ  Ｒｅｌｏｃａｔｉｏｎ」方式は、ソフトハンドオーバではないため、データ送受信の経路の切り換えの際に、データのロスが発生する可能性があるという問題点があった。
【００４２】
例えば、移動通信ネットワークをＩＰネットワークとして、交換機と無線制御装置ＲＮＣとを区別しないフラットなネットワーク（ルータネットワーク）を構築し、ネットワーク内のいずれの制御ポイントにおいてもソフトハンドオーバに係る処理を行うことが可能であるものとする。この際、例えば、上述の加入者線延長方式において、図１５の「Ａ」の経路のように、冗長な部分を含む迂回経路が発生する場合、データ送受信の経路を切り換えるポイント（制御ポイント）を、移動加入者交換機ＭＳＣ／ＳＧＳＮ１相当の位置に切り換えて、当該経路を最適化することは、ネットワークリソースの有効活用の観点から非常に有用である。しかしながら、上述のように、ＵＭＴＳにおいては、このように経路を最適化すること不可能である。
【００４３】
本発明は、以上の点に鑑みてなされたもので、前記移動端末がソフトハンドオーバを行っている際に、ネットワーク内に存在する制御ポイントを、データのロスを発生させること無く変更することが可能な無線データ通信方法、サーバ装置及び無線制御装置を提供することを目的とする。
【００４４】
【課題を解決するための手段】
本発明の第１の特徴は、第１の無線制御装置から移動端末に対して、第２の無線制御装置及び基地局を介してデータを送信する下り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法であって、前記移動端末のソフトハンドオーバに係る処理が、前記移動端末がソフトハンドオーバを行っている際に接続している全ての基地局に対してデータを送信する第１の送信タイミングを決定する工程と、前記データを分割して、該分割データの各々にシーケンスナンバを付与する工程と、前記第１の送信タイミングで、前記全ての基地局に対して前記分割データの各々を送信する工程とを有し、前記移動端末がソフトハンドオーバを行っている際に、該移動端末のソフトハンドオーバに係る処理を行う無線制御装置が変更されることを要旨とする。
【００４５】
かかる発明によれば、下り方向の無線データ通信において、前記移動端末がソフトハンドオーバを行っている際に、移動端末のソフトハンドオーバに係る処理を行う無線制御装置（制御ポイント）を変更することによって、データの送受信の経路を最適化することができ、ネットワークリソースの有効活用を図ることができる。
【００４６】
本発明の第１の特徴において、前記第２の無線制御装置が、前記移動端末のソフトハンドオーバに係る処理を行っている場合に、サーバ装置が、該移動端末からの通知に応じて、前記第１の無線制御装置が、該第２の無線制御装置と共に、該移動端末のソフトハンドオーバに係る処理を行うように決定する工程Ａと、前記サーバ装置が、前記決定結果について、前記第１の無線制御装置及び前記第２の無線制御装置に通知する工程Ｂと、前記第１の無線制御装置が、前記第２の無線制御装置から、前記シーケンスナンバの付与状況を引き継ぐ工程Ｃと、前記第１の無線制御装置が、前記第２の無線制御装置に対してデータを送信する第２の送信タイミングを決定する工程Ｄと、前記第１の無線制御装置が、前記シーケンスナンバの付与状況に基づいて、前記分割データの各々に前記シーケンスナンバを付与する工程Ｅと、前記第１の無線制御装置が、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該第１の無線制御装置が管理している基地局に対して、該分割データの各々を送信する工程Ｆと、前記第２の無線制御装置が、前記第１の送信タイミングで、前記移動端末がソフトハンドオーバを行っている際に接続している基地局のうち、該第２の無線制御装置が管理している基地局に対して、前記第１の無線制御装置からの前記分割データの各々を送信する工程Ｇとを有することが好ましい。
【００４７】
かかる発明によれば、下り方向の無線データ通信において、今までの制御ポイント（第２の無線制御装置）の上流に制御ポイント（第１の無線制御装置）を配置することができ、より柔軟なデータの送受信の経路の最適化を図ることができる。
【００４８】
また、本発明の第１の特徴において、前記工程Ｃが、前記第１の無線制御装置が、前記データを分割し、前記第２の無線制御装置に対して、前記シーケンスナンバの付与状況を要求する情報を前記分割データに付加して送信する工程と、前記第２の無線制御装置が、前記第１の無線制御装置からの前記分割データの各々に前記シーケンスナンバを付与し、前記全ての基地局に対して該分割データの各々を送信する工程と、前記第２の無線制御装置が、前記シーケンスナンバの付与状況を要求する情報が付加された前記分割データに付与した前記シーケンスナンバを、前記第１の無線制御装置に通知する工程と、前記第１の無線制御装置が、前記第２の無線制御装置から通知された前記シーケンスナンバと、前記シーケンスナンバの付与状況を要求する情報が付加された前記分割データを送信してから該シーケンスナンバを受信するまでに送信した前記分割データの数とに応じて、前記シーケンスナンバの付与状況を引き継ぐ工程とを有することが好ましい。
【００４９】
かかる発明によれば、下り方向の無線データ通信において、移動端末ＭＮ１に送信される分割データ（Ｌ２フレーム形式）に付与されるシーケンスナンバの連続性を損なうことなく、制御ポイントの変更を行うことができる。
【００５０】
また、本発明の第１の特徴において、前記第１の無線制御装置及び前記第２の無線制御装置が、前記移動端末のソフトハンドオーバに係る処理を行っている場合に、サーバ装置が、該移動端末からの通知に応じて、前記第１の無線制御装置が、該移動端末のソフトハンドオーバに係る処理を行わないように決定する工程と、前記サーバ装置が、前記決定結果について、前記第１の無線制御装置及び前記第２の無線制御装置に通知する工程と、前記第１の無線制御装置が、前記データを分割することなく、かつ、該データに前記シーケンスナンバを付与することなく、該データを前記第２の無線制御装置に対して送信する工程と、前記第２の無線制御装置が、前記第１の無線制御装置からの前記データが分割されていないこと、又は、前記シーケンスナンバを付与されていないことのいずれかを検出した場合、該データを分割し、該第１の無線制御装置による前記シーケンスナンバの付与状況に基づいて、該分割データの各々に前記シーケンスナンバを付与する工程と、前記第２の無線制御装置が、前記第１の送信タイミングで、前記移動端末がソフトハンドオーバを行っている際に接続している全ての基地局に対して、前記分割データの各々を送信する工程とを有することが好ましい。
【００５１】
かかる発明によれば、下り方向の無線データ通信において、今まで最上流に配置されていた制御ポイント（第１の無線制御装置）における処理を停止することができ、より柔軟なデータの送受信の経路の最適化を図ることができる。
【００５２】
また、本発明の第１の特徴において、前記第１の無線制御装置及び前記第２の無線制御装置が、前記移動端末のソフトハンドオーバに係る処理を行っている場合に、サーバ装置が、該移動端末からの通知に応じて、該第２の無線制御装置が、該移動端末のソフトハンドオーバに係る処理を行わないように決定する工程と、前記サーバ装置が、前記決定結果について、前記第１の無線制御装置及び前記第２の無線制御装置に通知する工程と、前記第１の無線制御装置が、前記データを分割し、前記分割データの各々に前記シーケンスナンバを付与する工程と、前記第１の無線制御装置が、前記第１の送信タイミングで、前記移動端末がソフトハンドオーバを行っている際に接続している全ての基地局に対して、前記分割データの各々を送信する工程とを有することが好ましい。
【００５３】
かかる発明によれば、下り方向の無線データ通信において、今まで最上流に配置されていた制御ポイント（第１の無線制御装置）より下流に配置されていた制御ポイント（第２の無線制御装置）における処理を停止することができ、より柔軟なデータの送受信の経路の最適化を図ることができる。
【００５４】
また、本発明の第１の特徴において、前記第１の無線制御装置が、前記移動端末のソフトハンドオーバに係る処理を行っている場合に、サーバ装置が、該移動端末からの通知に応じて、前記第２の無線制御装置が、該第１の無線制御装置と共に、該移動端末のソフトハンドオーバに係る処理を行うように決定する工程と、前記サーバ装置が、前記決定結果について、前記第１の無線制御装置及び前記第２の無線制御装置に通知する工程と、前記第１の無線制御装置が、前記第２の無線制御装置に対してデータを送信する第２の送信タイミングを決定する工程と、前記第１の無線制御装置が、前記データを分割し、該分割データの各々に前記シーケンスナンバを付与する工程と、前記第１の無線制御装置が、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該第１の無線制御装置が管理している基地局に対して、前記分割データの各々を送信する工程と、前記第２の無線制御装置が、前記第１の送信タイミングで、前記移動端末がソフトハンドオーバを行っている際に接続している基地局のうち、該第２の無線制御装置が管理している基地局に対して、前記第１の無線制御装置からの前記分割データの各々を送信する工程とを有することが好ましい。
【００５５】
かかる発明によれば、下り方向の無線データ通信において、今まで最上流に配置されていた制御ポイント（第１の無線制御装置）の下流に制御ポイント（第２の無線制御装置）を配置することができ、より柔軟なデータの送受信の経路の最適化を図ることができる。
【００５６】
本発明の第２の特徴は、移動端末から第１の無線制御装置に対して、基地局及び第２の無線制御装置を介してデータを送信する上り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法であって、前記移動端末のソフトハンドオーバに係る処理が、前記移動端末がソフトハンドオーバを行っている際に接続している全ての基地局からの分割データの選択合成を行う工程と、前記選択合成された分割データから前記データを再構築する工程とを有し、前記移動端末がソフトハンドオーバを行っている際に、該移動端末のソフトハンドオーバに係る処理を行う無線制御装置が変更されることを要旨とする。
【００５７】
かかる発明によれば、上り方向の無線データ通信において、前記移動端末がソフトハンドオーバを行っている際に、移動端末のソフトハンドオーバに係る処理を行う無線制御装置（制御ポイント）を変更することによって、データの送受信の経路を最適化することができ、ネットワークリソースの有効活用を図ることができる。
【００５８】
本発明の第２の特徴において、前記第２の無線制御装置が、前記移動端末のソフトハンドオーバに係る処理を行っている場合に、サーバ装置が、該移動端末からの通知に応じて、前記第１の無線制御装置が、該第２の無線制御装置と共に、該移動端末のソフトハンドオーバに係る処理を行うように決定する工程と、前記サーバ装置が、前記決定結果について、前記第１の無線制御装置及び前記第２の無線制御装置に通知する工程と、前記第２の無線制御装置が、前記移動端末がソフトハンドオーバを行っている際に接続している基地局のうち、該第２の無線制御装置が管理している基地局からの前記分割データの選択合成を行う工程と、前記第１の無線制御装置が、前記第２の無線制御装置からの前記選択合成された分割データと、前記移動端末がソフトハンドオーバを行っている際に接続している基地局のうち、該第１の無線制御装置が管理している基地局からの前記分割データとについて選択合成を行う工程と、前記選択合成された分割データから前記データを再構築する工程とを有することが好ましい。
【００５９】
かかる発明によれば、上り方向の無線データ通信において、今までの制御ポイント（第２の無線制御装置）の上流に制御ポイント（第１の無線制御装置）を配置することができ、より柔軟なデータの送受信の経路の最適化を図ることができる。
【００６０】
また、本発明の第２の特徴において、前記第１の無線制御装置及び前記第２の無線制御装置が、前記移動端末のソフトハンドオーバに係る処理を行っている場合に、サーバ装置が、該移動端末からの通知に応じて、該第１の無線制御装置が、該移動端末のソフトハンドオーバに係る処理を行わないように決定する工程と、前記サーバ装置が、前記決定結果について、前記第１の無線制御装置及び前記第２の無線制御装置に通知する工程と、前記第２の無線制御装置が、前記移動端末がソフトハンドオーバを行っている際に接続している基地局のうち、該第２の無線制御装置が管理している基地局からの前記分割データの選択合成を行う工程と、前記第２の無線制御装置が、前記選択合成された分割データから前記データを再構築すると共に、その旨を前記第１の無線制御装置に通知する工程と、前記第１の無線制御装置が、前記第２の無線制御装置からの通知に応じて、前記分割データの前記選択合成及び前記再構築を停止する工程とを有することが好ましい。
【００６１】
かかる発明によれば、上り方向の無線データ通信において、今まで最上流に配置されていた制御ポイント（第１の無線制御装置）における処理を停止することができ、より柔軟なデータの送受信の経路の最適化を図ることができる。
【００６２】
また、本発明の第２の特徴において、前記第１の無線制御装置及び前記第２の無線制御装置が、前記移動端末のソフトハンドオーバに係る処理を行っている場合に、サーバ装置が、該移動端末からの通知に応じて、該第２の無線制御装置が、該移動端末のソフトハンドオーバに係る処理を行わないように決定する工程と、前記サーバ装置が、前記決定結果について、前記第１の無線制御装置及び前記第２の無線制御装置に通知する工程と、前記第２の無線制御装置が、前記移動端末がソフトハンドオーバを行っている際に接続している基地局のうち、該第２の無線制御装置が管理している基地局からの前記分割データの選択合成を停止して、該分割データを前記第１の無線制御装置に転送する工程と、前記第１の無線制御装置が、前記第２の無線制御装置から転送された前記分割データと、前記移動端末がソフトハンドオーバを行っている際に接続している基地局のうち、該第１の無線制御装置が管理している基地局からの前記分割データとについて選択合成を行う工程と、前記選択合成された分割データから前記データを再構築する工程とを有することが好ましい。
【００６３】
かかる発明によれば、上り方向の無線データ通信において、今まで最上流に配置されていた制御ポイント（第１の無線制御装置）より下流に配置されていた制御ポイント（第２の無線制御装置）における処理を停止することができ、より柔軟なデータの送受信の経路の最適化を図ることができる。
【００６４】
また、本発明の第２の特徴において、前記第１の無線制御装置が、前記移動端末のソフトハンドオーバに係る処理を行っている場合に、サーバ装置が、該移動端末からの通知に応じて、前記第２の無線制御装置が、該第１の無線制御装置と共に、該移動端末のソフトハンドオーバに係る処理を行うように決定する工程と、前記サーバ装置が、前記決定結果について、前記第１の無線制御装置及び前記第２の無線制御装置に通知する工程と、前記第２の無線制御装置が、前記サーバ装置からの通知に応じて、前記移動端末がソフトハンドオーバを行っている際に接続している基地局のうち、該第２の無線制御装置が管理している基地局からの前記分割データの選択合成を行う工程と、前記第１の無線制御装置が、前記第２の無線制御装置からの前記選択合成された分割データと、前記移動端末がソフトハンドオーバを行っている際に接続している基地局のうち、該第１の無線制御装置が管理している基地局からの前記分割データとについて選択合成を行う工程と、
前記選択合成された分割データから前記データを再構築する工程とを有することが好ましい。
【００６５】
かかる発明によれば、上り方向の無線データ通信において、今まで最上流に配置されていた制御ポイント（第１の無線制御装置）の下流に制御ポイント（第２の無線制御装置）を配置することができ、より柔軟なデータの送受信の経路の最適化を図ることができる。
【００６６】
本発明の第３の特徴は、第１の無線制御装置から移動端末に対して、第２の無線制御装置及び基地局を介してデータを送信する下り方向の無線データ通信、又は、移動端末から第１の無線制御装置に対して、基地局及び第２の無線制御装置を介してデータを送信する上り方向の無線データ通信において、前記移動端末がソフトハンドオーバを行っている際に、該第１の無線制御装置又は該第２の無線制御装置の少なくても一つが、該移動端末のソフトハンドオーバに係る処理を行う無線データ通信方法を制御するサーバ装置であって、前記移動端末がソフトハンドオーバを行っている際に、該移動端末からの通知に応じて、該移動端末のソフトハンドオーバに係る処理を行う無線制御装置を変更するように決定する決定部と、前記決定結果について、該変更に関連する無線制御装置に通知する通知部とを具備することを要旨とする。
【００６７】
本発明の第４の特徴は、基地局を介して移動端末に対してデータを送信する下り方向の無線データ通信において、前記移動端末がソフトハンドオーバを行っている際に、該移動端末のソフトハンドオーバに係る処理を行う無線制御装置であって、第１の無線制御装置として前記移動端末のソフトハンドオーバに係る処理を行うように指示する通知を受信する通知受信部と、前記通知に応じて、前記データを分割するデータ分割部と、前記通知に応じて、前記シーケンスナンバの付与状況に基づいて、前記分割データの各々にシーケンスナンバを付与するシーケンスナンバ付与部と、前記通知に応じて、前記移動端末がソフトハンドオーバを行っている際に接続している基地局のうち該無線制御装置が管理している基地局に対してデータを送信する第１の送信タイミングと、第２の無線制御装置に対してデータを送信する第２の送信タイミングを決定する送信タイミング決定部と、前記通知に応じて、前記第２の送信タイミングで、前記第２の無線制御装置に対して、前記分割データの各々を送信すると共に、前記第１の送信タイミングで、前記移動端末がソフトハンドオーバを行っている際に接続している基地局のうち、該無線制御装置が管理している基地局に対して、該分割データの各々を送信するデータ送信部とを具備することを要旨とする。
【００６８】
本発明の第４の特徴において、前記データ送信部が、前記第２の無線制御装置に対して、前記シーケンスナンバの付与状況を要求する情報を前記分割データに付加して送信し、前記シーケンスナンバ付与部が、前記第２の無線制御装置から通知された前記シーケンスナンバの付与状況を要求する情報が付加された前記分割データに付与した前記シーケンスナンバと、前記シーケンスナンバの付与状況を要求する情報が付加された前記分割データを送信してから該シーケンスナンバを受信するまでに送信した前記分割データの数とに応じて、前記シーケンスナンバの付与状況を引き継ぐことが好ましい。
【００６９】
本発明の第５の特徴は、基地局を介して移動端末に対してデータを送信する下り方向の無線データ通信において、前記移動端末がソフトハンドオーバを行っている際に、該移動端末のソフトハンドオーバに係る処理を行う無線制御装置であって、第２の無線制御装置として前記移動端末のソフトハンドオーバに係る処理を行うように指示する通知を受信する通知受信部と、前記通知に応じて、前記移動端末がソフトハンドオーバを行っている際に接続している基地局のうち該無線制御装置が管理している基地局に対してデータを送信する第１の送信タイミングを決定する送信タイミング決定部と、前記通知に応じて、前記第１の送信タイミングで、前記移動端末がソフトハンドオーバを行っている際に接続している基地局のうち、該無線制御装置が管理している基地局に対して、第１の無線制御装置からの分割データの各々を転送するデータ送信部とを具備することを要旨とする。
【００７０】
本発明の第６の特徴は、基地局を介して移動端末に対してデータを送信する下り方向の無線データ通信において、前記移動端末がソフトハンドオーバを行っている際に、該移動端末のソフトハンドオーバに係る処理を行う無線制御装置であって、前記移動端末のソフトハンドオーバに係る処理を行わないように指示する通知を受信する通知受信部と、前記通知に応じて、前記データを分割することなくデータを転送するデータ送信部とを具備することを要旨とする。
【００７１】
本発明の第７の特徴は、移動端末から基地局を介してデータを送信する上り方向の無線データ通信において、前記移動端末がソフトハンドオーバを行っている際に、該移動端末のソフトハンドオーバに係る処理を行う無線制御装置であって、第１の無線制御装置として前記移動端末のソフトハンドオーバに係る処理を行うように指示する通知を受信する通知受信部と、前記通知に応じて、前記移動端末がソフトハンドオーバを行っている際に接続している全ての基地局からの分割データの選択合成を行う選択合成部と、前記通知に応じて、前記選択合成された分割データから前記データを再構築する再構築部とを具備することを要旨とする。
【００７２】
本発明の第８の特徴は、移動端末から基地局を介してデータを送信する上り方向の無線データ通信において、前記移動端末がソフトハンドオーバを行っている際に、該移動端末のソフトハンドオーバに係る処理を行う無線制御装置であって、第２の無線制御装置として前記移動端末のソフトハンドオーバに係る処理を行うように指示する通知を受信する通知受信部と、前記通知に応じて、前記移動端末がソフトハンドオーバを行っている際に接続している全ての基地局のうち、該無線制御装置が管理する基地局からの分割データの選択合成を行う選択合成部と、前記通知に応じて、前記選択合成された分割データを第１の無線制御装置に送信するデータ送信部とを具備することを要旨とする。
【００７３】
本発明の第９の特徴は、移動端末から基地局を介してデータを送信する上り方向の無線データ通信において、前記移動端末がソフトハンドオーバを行っている際に、該移動端末のソフトハンドオーバに係る処理を行う無線制御装置であって、前記移動端末のソフトハンドオーバに係る処理を行わないように指示する通知を受信する通知受信部と、前記通知に応じて、前記移動端末がソフトハンドオーバを行っている際に接続している全ての基地局のうち、該無線制御装置が管理する基地局からの分割データを、選択合成を行うことなく、第１の無線制御装置に送信するデータ送信部とを具備することを要旨とする。
【００７４】
【発明の実施の形態】
（本発明の第１の実施形態に係る無線データ通信システムの構成）
本発明の第１の実施形態に係る無線データ通信システムの構成について、図１乃至図４を参照して説明する。本実施形態では、無線データ通信システムとして、上述のルータネットワークを採用した場合の例について説明する。
【００７５】
本実施形態に係る無線データ通信システムは、第１の無線制御装置（例えば、ルータＲＴ２）から移動端末ＭＮ１に対して、第２の無線制御装置（例えば、アクセスルータＡＲ１）及び基地局（例えば、アクセスポイントＡＰ１乃至ＡＰ３）を介してデータを送信する下り方向の無線データ通信において、又は、移動端末ＭＮ１から第１の無線制御装置（例えば、ルータＲＴ２）に対して、基地局（例えば、アクセスポイントＡＰ１乃至ＡＰ３）及び第２の無線制御装置（例えば、アクセスルータＡＲ１）を介してデータを送信する上り方向の無線データ通信において、移動端末ＭＮ１がソフトハンドオーバを行っている際に、第１の無線制御装置（例えば、ルータＲＴ２）又は第２の無線制御装置（例えば、アクセスルータＡＲ１）の少なくても一つが、移動端末ＭＮ１のソフトハンドオーバに係る処理を行うものである。
【００７６】
ここで、移動端末ＭＮ１のソフトハンドオーバに係る処理は、下り方向の無線データ通信において、移動端末ＭＮ１がソフトハンドオーバを行っている際に接続している全ての基地局（例えば、アクセスポイントＡＰ１乃至ＡＰ３）に対してデータを送信する第１の送信タイミングを決定する工程と、データを分割して該分割データの各々にシーケンスナンバを付与する工程と、第１の送信タイミングで全ての基地局（例えば、アクセスポイントＡＰ１乃至ＡＰ３）に対して分割データの各々を送信する工程とを有する。
【００７７】
また、移動端末ＭＮ１のソフトハンドオーバに係る処理は、上り方向の無線データ通信において、移動端末ＭＮ１がソフトハンドオーバを行っている際に接続している全ての基地局（例えば、アクセスポイントＡＰ１乃至ＡＰ３）からの分割データの選択合成を行う工程と、選択合成された分割データからデータを再構築する工程とを有する。
【００７８】
また、本実施形態に係る無線データ通信システムにおいて、移動端末ＭＮ１がソフトハンドオーバを行っている際に、移動端末ＭＮ１のソフトハンドオーバに係る処理を行う無線制御装置が変更される。
【００７９】
また、本実施形態に係る無線データ通信システムは、図１に示すように、移動端末ＭＮ１と、移動端末ＭＮ１の通信相手ＣＮ（Ｃｏｒｒｅｓｐｏｎｄｅｎｔ  Ｎｏｄｅ）１と、複数のルータ（Ｒｏｕｔｅｒ）ＲＴ１乃至ＲＴ３と、複数のアクセスルータ（Ａｃｃｅｓｓ  Ｒｏｕｔｅｒ）ＡＲ１乃至ＡＲ４と、複数のアクセスポイント（Ａｃｃｅｓｓ  Ｐｏｉｎｔ）ＡＰ１乃至ＡＰ８と、制御サーバ５０とを具備している。本実施形態では、ルータネットワークとして、ツリー構造のネットワークを採用しているが、本発明は、これに限定される事は無く、任意の形状のネットワークを採用することができる。
【００８０】
移動端末ＭＮ１は、図２に示すように、送信部１１と、受信部１２と、電波状況監視部１３と、同期制御部１４とを具備している。ここで、移動端末ＭＮ１が同時に接続することができるアクセスポイントＡＰの最大数を３とし、ブランチの追加及び削除などの事象は、同時に１回しか起こらないものとする。
【００８１】
送信部１１は、アクセスポイントＡＰに対して、Ｌ２フレーム形式のデータを送信したり、制御サーバ５０に対して、アクセスポイントＡＰとの間の電波状況を通知したりするものである。受信部１２は、アクセスポイントＡＰから、Ｌ２フレーム形式のデータや当該データの受信タイミング等を受信するものである。
【００８２】
電波状況監視部１３は、アクセスポイントＡＰとの間の電波状況を監視するものであり、所定のアクセスポイントＡＰとの電波状況が良好になったこと又は悪化したことを検出した場合に、その旨を送信部１１を介して制御サーバ５０に通知するものである。電波状況監視部１３は、電波状況の監視結果に基づいて、所定のアクセスポイントＡＰへのブランチを追加することや当該ブランチを削除することを、送信部１１を介して制御サーバ５０に通知するように構成されていてもよい。
【００８３】
同期制御部１４は、上述のデータの受信タイミング等に基づいて、所定のアクセスポイントＡＰやアクセスルータＡＲやルータＲＴとの間の同期制御を行うものである。
【００８４】
複数のルータＲＴ１乃至ＲＴ３は、Ｌ３フレーム形式のデータ（例えば、ＩＰパケット）について交換処理を行う交換機としての機能を具備する。複数のアクセスルータＡＲ１乃至ＡＲ４は、ルータのうち、アクセスポイントＡＰを収容するものである。複数のアクセスポイントＡＰ１乃至ＡＰ８は、無線基地局である。
【００８５】
ルータＲＴ又はアクセスルータＡＲは、図３に示すように、受信部３１と、送信部３２と、測定部３３と、送信タイミング決定部３４と、同期制御部３５と、データ分割部３６と、シーケンスナンバ付与部３７と、コピー部３８と、選択合成部３９と、再構築部４０と、再送制御部４１とを具備している。
【００８６】
受信部３１は、上流からの下りデータ（Ｌ２フレーム形式又はＬ３フレーム形式）や、下流からの上りデータ（Ｌ２フレーム形式又はＬ３フレーム形式）や、制御サーバ５０からの制御ポイント変更情報や、送信タイミングやタイミング差やデータ遅延等の同期情報や、シーケンスナンバ等を受信するものである。すなわち、受信部３１は、第１又は第２の無線制御装置（最上流制御ポイント又は下流制御ポイント）として移動端末ＭＮ１のソフトハンドオーバに係る処理を行うように、又は、移動端末ＭＮ１のソフトハンドオーバに係る処理を行わないように指示する通知を受信する通知受信部を行使する。
【００８７】
送信部３２は、上流への上りデータ（Ｌ２フレーム形式又はＬ３フレーム形式）や、下流への上りデータ（Ｌ２フレーム形式又はＬ３フレーム形式）や、送信タイミングやタイミング差やデータ遅延等の同期情報や、シーケンスナンバ等を送信するものである。
【００８８】
測定部３３は、制御ポイントとして動作している場合、上流のルータＲＴや下流のルータＲＴ（アクセスルータＡＲ）やアクセスポイントＡＰとの間で、データ遅延やタイミング差を測定するものである。
【００８９】
第１の無線制御装置（例えば、ルータＲＴ２）に設けられている送信タイミング決定部３４は、最上流制御ポイントとして動作するように指示する制御ポイント変更情報（通知）を受信した場合、移動端末ＭＮ１がソフトハンドオーバを行っている際に接続している基地局（例えば、アクセスポイントＡＰ１乃至ＡＰ３）のうち該無線制御装置（例えば、ルータＲＴ２）が管理している基地局（例えば、アクセスポイントＡＰ３）に対してデータを送信する第１の送信タイミングや、下流制御ポイントとして動作している第２の無線制御装置（例えば、アクセスルータＡＲ２）に対してデータを送信する第２の送信タイミングを決定する。
【００９０】
また、第２の無線制御装置（例えば、アクセスルータＡＲ２）に設けられている送信タイミング決定部３４は、下流制御ポイントとして動作するように指示する制御ポイント変更情報（通知）を受信した場合、移動端末ＭＮ１がソフトハンドオーバを行っている際に接続している基地局（例えば、アクセスポイントＡＰ１乃至ＡＰ３）のうち当該無線制御装置（例えば、アクセスルータＡＲ２）が管理している基地局（例えば、アクセスポイントＡＰ１及びＡＰ２）に対してデータを送信する第１の送信タイミングを決定する。
【００９１】
同期制御部３５は、制御ポイントとして動作している場合、送信タイミングやデータ遅延やタイミング差等の同期情報に基づいて、上流又は下流のルータＲＴ（アクセスルータＡＲ）や移動端末ＭＮ１との間の同期制御を行うものである。
【００９２】
本実施形態において、第１の無線制御装置（例えば、ルータＲＴ２）に設けられている送信部３２及び同期制御部３５が、最上流制御ポイントとして動作するように指示する制御ポイント変更情報（通知）を受信した場合、第２の送信タイミングで、下流制御ポイントとして動作している第２の無線制御装置（例えば、アクセスルータＡＲ２）に対して分割データの各々を送信すると共に、第１の送信タイミングで、移動端末ＭＮ１がソフトハンドオーバを行っている際に接続している基地局（例えば、アクセスポイントＡＰ１乃至ＡＰ３）のうち当該無線制御装置（例えば、ルータＲＴ２）が管理している基地局（例えば、アクセスポイントＡＰ３）に対して分割データの各々を送信するデータ送信部を構成する。
【００９３】
本実施形態において、第１の無線制御装置（例えば、ルータＲＴ２）に設けられている送信部３２及び同期制御部３５が、最上流制御ポイントとして動作するように指示する制御ポイント変更情報（通知）を受信した場合で、かつ、下流制御ポイントが存在しない場合、第１の送信タイミングで、移動端末ＭＮ１がソフトハンドオーバを行っている際に接続している全ての基地局（例えば、アクセスポイントＡＰ１乃至ＡＰ３）に対して分割データの各々を送信するデータ送信部を構成する。
【００９４】
また、第２の無線制御装置（例えば、アクセスルータＡＲ２）に設けられている送信部３２及び同期制御部３５が、下流制御ポイントとして動作するように指示する制御ポイント変更情報（通知）を受信した場合、第１の送信タイミングで、移動端末ＭＮ１がソフトハンドオーバを行っている際に接続している基地局（例えば、アクセスポイントＡＰ１乃至ＡＰ３）のうち、当該無線制御装置（例えば、アクセスルータＡＲ２）が管理している基地局（例えば、アクセスポイントＡＰ１及びＡＰ２）に対して、第１の無線制御装置（例えば、ルータＲＴ２）からの分割データの各々を転送するデータ送信部を構成する。
【００９５】
また、送信部３２及び同期制御部３５が、制御ポイントとして動作しないように指示する制御ポイント変更情報（通知）を受信した場合、送信タイミングを意識することなく、上流から下流にデータを転送する。
【００９６】
データ分割部３６は、最上流制御ポイント（第１の無線制御装置）として動作するように指示する制御ポイント変更情報（通知）を受信した場合、上流からのＬ３フレーム形式のデータをＬ２フレーム形式のデータに分割するものである。一方、データ分割部３６は、制御ポイントとして動作しないように指示する制御ポイント変更情報（通知）を受信した場合、上述のデータ分割処理を停止する。
【００９７】
シーケンスナンバ付与部３７は、最上流制御ポイント（第１の無線制御装置）として動作するように指示する制御ポイント変更情報（通知）を受信した場合、シーケンスナンバの付与状況に基づいて、分割データ（Ｌ２フレーム形式）の各々にシーケンスナンバを付与するものである。一方、シーケンスナンバ付与部３７は、制御ポイントとして動作しないように指示する制御ポイント変更情報（通知）を受信した場合、上述のシーケンスナンバ付与処理を停止する。
【００９８】
第１の無線制御装置（例えば、ルータＲＴ２）に設けられているシーケンスナンバ付与部３７は、最上流制御ポイントとして動作するように指示する制御ポイント変更情報（通知）を受信した場合、送信部３２と協働して、第２の無線制御装置（例えば、アクセスルータＡＲ２）に対して、シーケンスナンバの付与状況を要求する情報（シーケンスナンバ付与状況通知要求ビット）を分割データに付加して送信する。
【００９９】
また、当該シーケンスナンバ付与部３７は、第２の無線制御装置（例えば、アクセスルータＡＲ２）から通知されたシーケンスナンバの付与状況を要求する情報（シーケンスナンバ付与状況通知要求ビット）が付加された分割データに付与したシーケンスナンバと、シーケンスナンバの付与状況を要求する情報（シーケンスナンバ付与状況通知要求ビット）が付加された分割データを送信してから当該シーケンスナンバを受信するまでに送信した分割データの数とに応じて、第２の無線制御装置（例えば、アクセスルータＡＲ２）からシーケンスナンバの付与状況を引き継ぐことができる。
【０１００】
コピー部３８は、制御ポイントとして動作している場合、上述の分割データについて、送信すべき基地局の数分のコピー処理を行うものである。
【０１０１】
選択合成部３９は、最上流制御ポイントとして動作するように指示する制御ポイント変更情報（通知）を受信した場合、移動端末ＭＮ１がソフトハンドオーバを行っている際に接続している全ての基地局（例えば、アクセスポイントＡＰ１乃至ＡＰ３）からの分割データの選択合成を行うものである。
【０１０２】
また、選択合成部３９は、下流の制御ポイントとして動作するように指示する制御ポイント変更情報（通知）を受信した場合、移動端末ＭＮ１がソフトハンドオーバを行っている際に接続している全ての基地局（例えば、アクセスポイントＡＰ１乃至ＡＰ３）のうち、当該無線制御装置（例えば、アクセスルータＡＲ２）が管理する基地局（例えば、アクセスポイントＡＰ１及びＡＰ２）からの分割データの選択合成を行うものである。
【０１０３】
また、選択合成部３９は、制御ポイントとして動作しないように指示する制御ポイント変更情報（通知）を受信した場合、上述の分割データの選択合成を行わない。
【０１０４】
再構築部４０は、最上流制御ポイントとして動作するように指示する制御ポイント変更情報（通知）を受信した場合、選択合成された分割データ（Ｌ２フレーム形式）からＬ３フレーム形式のデータを再構築するものである。
【０１０５】
また、再構築部４０は、下流制御ポイントとして動作するように指示する制御ポイント変更情報（通知）を受信した場合、又は、制御ポイントとして動作しないように指示する制御ポイント変更情報（通知）を受信した場合、上述のデータの再構築を行わない。
【０１０６】
再送制御部４１は、最上流制御ポイントとして動作するように指示する制御ポイント変更情報（通知）を受信した場合、移動端末ＭＮ１との間で、Ｌ２フレーム単位の再送制御を行うものである。
【０１０７】
制御サーバ５０は、ネットワーク内に存在し、ネットワーク内の各装置と接続して、ネットワーク内のソフトハンドオーバに係る処理を行う制御ポイントの補助的な役割を行う。制御サーバ５０は、図４に示すように、受信部５１と、送信部５２と、制御ポイント管理部５３とを具備する。
【０１０８】
受信部５１は、移動端末ＭＮ１からの電波状況通知を受信するものである。送信部５２は、制御ポイント管理部５２によって生成された制御ポイント変更情報を、当該変更に関連する無線制御装置（例えば、ルータＲＴ２やアクセスルータＡＲ２）に通知するものである。
【０１０９】
制御ポイント管理部５２は、上述の電波状況通知に基づいて制御ポイント変更情報を生成するものである。すなわち、制御ポイント管理部５２は、移動端末ＭＮ１がソフトハンドオーバを行っている際に、当該移動端末ＭＮ１からの通知に応じて、当該移動端末ＭＮ１のソフトハンドオーバに係る処理を行う無線制御装置を変更するように決定する決定部を構成する。
【０１１０】
（本実施形態に係る無線データ通信システムの動作）
本実施形態に係る無線データ通信システムの動作を、図５乃至図１４を参照して説明する。本実施形態では、図５に示すような制御ポイントを変更する４つのパターンにおける無線データ通信システムの動作について説明する。
【０１１１】
第１に、図５乃至図１０を参照して、下り方向の無線通信における無線データ通信システムの動作について説明する。
【０１１２】
＜パターン１＞
パターン１は、図１に示すネットワークにおいて、移動端末ＭＮ１が、既にアクセスポイントＡＰ１及びＡＰ２と接続しており、アクセスルータＡＲ１のみが、制御ポイントとなっていた場合において、移動端末ＭＮ１が、アクセスポイントＡＰ３へのブランチを追加することにより、制御ポイントとしてルータＲＴ２が追加される（アクセスルータＡＲ１とルータＲＴ２で、同時にソフトハンドオーバに係る処理を行うように切り換える）場合に相当する。
【０１１３】
すなわち、パターン１は、それまで最も上流にあった最上流制御ポイント（アクセスルータＡＲ１）の更に上流に制御ポイント（ルータＲＴ２）が新たに配置される場合である。
【０１１４】
かかる場合、本実施形態に係る無線データ通信システムは、図６に示すように動作することによってデータのロスを発生させること無く、制御ポイントの切り換えを行うことが出来る。
【０１１５】
図６に示すように、ステップ１０１において、アクセスポイントＡＰ３へのブランチ追加前の状態として、アクセスルータＡＲ１のみが制御ポイントであり、アクセスポイントＡＰ１及びＡＰ２と移動端末ＭＮ１との間で、同期制御が確立している。
【０１１６】
ステップ１０２において、移動端末ＭＮ１が、アクセスポイントＡＰ３との間の電波状況が良好になったことを検出し、その旨を制御サーバ５０に通知する。
【０１１７】
ステップ１０３において、制御サーバ５０は、これを契機に、アクセスポイントＡＰ３のブランチ追加を決定し、計算の結果、例えば、ルータＲＴ２を制御ポイントとして追加することを決定する。
【０１１８】
そして、制御サーバ５０は、アクセスルータＡＲ１に対して、更に上流にルータＲＴ２が制御ポイントとなることを指示する制御ポイント変更情報を送信し、ルータＲＴ２に対して、最上流制御ポイントとなることを指示する制御ポイント変更情報を送信し、アクセスポイントＡＰ３に対して、ルータＲＴ２が自分の直接上流の制御ポイントとなることを指示する制御ポイント変更情報を送信する。
【０１１９】
ステップ１０４において、ルータＲＴ２（新最上流制御ポイント）は、受信した制御ポイント変更情報を契機に、アクセスルータＡＲ１（旧最上流制御ポイント）との間で、分割データ付与するシーケンスナンバ（ＳＮ）の引継処理を行う。その詳細は、後述する。
【０１２０】
ステップ１０５において、ステップ１０４におけるシーケンスナンバの引継処理が完了すると、ルータＲＴ２が、アクセスルータＡＲ１に対して、Ｌ３フレーム形式からＬ２フレーム形式に分割し、シーケンスナンバを付与した状態で、データを送信する。ここで、アクセスルータＡＲ１は、シーケンスナンバ付与処理を停止し、既存の送信タイミングで、ルータＲＴ２からの分割データをそのままの状態でアクセスポイントＡＰ１及びＡＰ２に対して送信する。
【０１２１】
ステップ１０６において、アクセスルータＡＲ１は、それまで使用していたアクセスポイントＡＰ１やＡＰ２とＭＮ１との間のデータ遅延やタイミング差（クロックのタイミング差）や送信タイミング等の同期情報を、ルータＲＴ２に通知する。
【０１２２】
ステップ１０７において、ルータＲＴ２は、アクセスルータＡＲ１との間のデータ遅延及びタイミング差（クロックのタイミング差）を測定する。
【０１２３】
ステップ１０８において、ルータＲＴ２は、ステップ１０７における測定結果に基づいて、ルータＲＴ２からアクセスルータＡＲ１への送信タイミングを決定する。この時、アクセスルータＡＲ１以下の送信タイミング、すなわち、アクセスルータＡＲ１からアクセスポイントＡＰ１及びＡＰ２への送信タイミングについては変更されない。
【０１２４】
ステップ１０９において、移動端末ＭＮ１は、アクセスポイントＡＰ１又はＡＰ２から通知されているクロックのタイミングと、アクセスポイントＡＰ３から通知されるクロックのタイミングとの差を測定し、当該タイミング差をルータＲＴ２に通知する。
【０１２５】
ステップ１１０において、ルータＲＴ２は、アクセスポイントＡＰ３との間のデータ遅延及びタイミング差を測定し、当該測定結果に基づいて、アクセスポイントＡＰ３から移動端末ＭＮ１への送信タイミングと、ルータＲＴ２からアクセスポイントＡＰ３への送信タイミングを決定する。その後、ルータＲＴ２は、アクセスポイントＡＰ３から移動端末ＭＮ１への送信タイミングを、アクセスポイントＡＰ３に通知する。
【０１２６】
ステップ１１１において、ステップ１１０までの作業が終了すると、ルータＲＴ２は、それまで行っているデータ分割処理及びシーケンスナンバ付与処理に加えて、データのコピー処理及び決定された送信タイミングに従ったデータ送信処理（タイミング送信処理）を、アクセスルータＡＲ１及びアクセスポイントＡＰ３に対して開始する。
【０１２７】
アクセスルータＡＲ１へのタイミング送信処理は、ステップ１０８の完了時に開始されていてもよい。また、分割データの送信処理は、必要に応じて、Ｌ３フレームによるカプセル化（例えば、ＩＰカプセル化）によって行われてもよい。
【０１２８】
ステップ１１１以降、ルータＲＴ２は、ルータＲＴ１を介して、通信相手ＣＮ１からのＬ３フレーム形式のデータを受信すると、ステップ１１２において、当該データに対して、Ｌ２フレーム形式のデータへの分割処理と、シーケンスナンバ付与処理と、コピー処理とを行い、アクセスルータＡＲ１及びアクセスポイントＡＰ３に対してタイミング送信処理を行う。
【０１２９】
ステップ１１３において、ルータＲＴ２からのデータ（Ｌ２フレーム形式）を受信したアクセスルータＡＲ１は、アクセスポイントＡＰ１及びＡＰ２に対してコピー処理及びタイミング送信処理を行う。
【０１３０】
ステップ１１４において、各アクセスポイントＡＰ１乃至ＡＰ３は、指定された送信タイミングで、移動端末ＭＮ１に対してタイミング送信処理を行う。
【０１３１】
なお、ステップ１０６乃至１０８と、ステップ１０９及び１１０とは、並行して実施されても構わない。
【０１３２】
ここで、上述のシーケンスナンバの引継処理（ステップ１０４）について、図７を参照して詳述する。シーケンスナンバの引継処理において、旧最上流制御ポイントであるアクセスルータＡＲ１で付与していたシーケンスナンバと、新最上流制御ポイントであるルータＲＴ２で付与を開始するシーケンスナンバが、シーケンシャルに継続されなければ、制御ポイントの切り換えにより、シーケンスナンバの連続性が失われ、データの送信間隔が大幅に開いてしまう、又は、最悪の場合、データのロスが発生することが考えられる。そこで、図７に示すような制御を行えば、上記の問題点を避けることができる、すなわち、連続性を保ったままシーケンスナンバの引継ぎを行うことが可能となる。
【０１３３】
図７に示すように、ステップ２０１において、ルータＲＴ２は、上流（例えば、ルータＲＴ１）からのＬ３フレーム形式のデータを受信する。ステップ２０２において、ルータＲＴ２は、受信したＬ３フレーム形式のデータのＬ２フレーム形式のデータへの分割処理を開始する。但し、ルータＲＴ２は、シーケンスナンバの付与処理を開始しない。
【０１３４】
ステップ２０３において、ルータＲＴ２は、分割データに、シーケンスナンバの付与状況を要求する情報を付加する。例えば、ルータＲＴ２は、分割データの先頭に設けられたシーケンスナンバ付与状況通知要求ビットをＯＮにする。
【０１３５】
ステップ２０４において、ルータＲＴ２は、分割データをアクセスルータＡＲ１に送信する。以降、ステップ２０７までの間、ルータＲＴ２は、データの分割処理を行い、アクセスルータＡＲ１に対するデータの送信処理を継続し、その間に送信したデータの個数を計数しておく。
【０１３６】
ここで、アクセスルータＡＲ１は、データ分割処理を停止し、ルータＲＴ２から受信した分割データ（Ｌ２フレーム形式）に対して、それまで付与していた続きからシーケンスナンバの付与を継続し、下流に（すなわち、アクセスポイントＡＰ１及びＡＰ２）送信する。
【０１３７】
アクセスルータＡＲ１は、ステップ２０５において、ルータＲＴ２から受信した分割データ内でシーケンスナンバ付与状況通知要求ビットが立っていることを認識すると、ステップ２０６において、当該シーケンスナンバ付与状況通知要求ビットが立っている最初の分割データに付与したシーケンスナンバを、ルータＲＴ２に通知する。
【０１３８】
ステップ２０７において、ルータＲＴ２は、ステップ２０２以降にアクセスルータＡＲ１に送信したＬ２フレーム形式のデータの数と、ステップ２０６で受信したシーケンスナンバから、次にアクセスルータＡＲ１に送信するＬ２フレーム形式のデータに付与すべきシーケンスナンバを算出する。
【０１３９】
ステップ２０８において、ルータＲＴ２は、ステップ２０７で算出した結果に基づき、以降の分割データに対するシーケンスナンバ付与処理を開始する。
【０１４０】
＜パターン２＞
パターン２は、図１に示すネットワークにおいて、移動端末ＭＮ１が、アクセスポイントＡＰ１乃至ＡＰ３と接続しており、ルータＲＴ２及びアクセスルータＡＲ１が、制御ポイントとなっていた場合において、移動端末ＭＮ１が、アクセスポイントＡＰ３へのブランチを削除することにより、制御ポイントとしてのルータＲＴ２が削除される（アクセスルータＡＲ１のみで、ソフトハンドオーバに係る処理を行うように切り換える）場合に相当する。
【０１４１】
すなわち、パターン２は、最上流制御ポイントが、それまで下流制御ポイントとして位置していた制御ポイント（アクセスルータＡＲ１）に変更される場合である。
【０１４２】
かかる場合、本実施形態に係る無線データ通信システムは、図８に示すように動作することによってデータのロスを発生させること無く、制御ポイントの切り換えを行うことが出来る。
【０１４３】
図８に示すように、ステップ３０１において、ＡＰ３のブランチ削除前の状態として、制御ポイントであるルータＲＴ２及びアクセスルータＡＲ１と、アクセスポイントＡＰ１乃至ＡＰ３と、移動端末ＭＮ１との間で、同期制御が確立している。
【０１４４】
ステップ３０２において、移動端末ＭＮ１が、制御サーバ５０に対して、アクセスポイントＡＰ３とのブランチが削除されたこと、すなわち、アクセスポイントＡＰ３との接続が切断されたことを通知する。かかる通知は、ＭＮ１からに制御サーバ５０に対して行われてもよいし、当該切断を検出したアクセスポイントＡＰ３から制御サーバ５０に対して行われてもよい。
【０１４５】
ステップ３０３において、制御サーバ５０は、かかる通知を契機に、計算の結果、例えば、ルータＲＴ２を制御ポイントから削除することを決定する。そして、制御サーバ５０は、アクセスルータＡＲ１に対して、上流のＲＴ２が制御ポイントから削除され、アクセスルータＡＲ１が最上流制御ポイントとなることを指示する制御ポイント変更情報を送信し、ルータＲＴ２に対して、制御ポイントから削除されることを指示する制御ポイント変更情報を送信する。
【０１４６】
ステップ３０４において、ルータＲＴ２（旧最上流制御ポイント）は、上述の制御ポイント変更情報を契機に、アクセスポイントＡＰ３に対するコピー処理及びデータ送信処理を停止する。ステップ３０５において、ルータＲＴ２は、必要に応じて、アクセスポイントＡＰ３との間の同期情報の保持を解除する。また、ステップ３０６において、ルータＲＴ２は、制御ポイントでは無くなったため、それまで行っていたデータ分割処理及びシーケンスナンバ付与処理を停止する。
【０１４７】
ステップ３０７において、ルータＲＴ２は、アクセスルータＡＲ１（新最上流制御ポイント）に対するタイミング送信処理を停止する、すなわち、上流からのデータをアクセスルータＡＲ１に対して中継（転送）するのみになる。また、ルータＲＴ２は、必要に応じて、アクセスルータＡＲ１との間の同期情報の保持を解除する。
【０１４８】
ルータＲＴ２は、ステップ３０８において、通信相手ＣＮ１からのデータ（Ｌ２フレーム形式）を受信し、ステップ３１０において、データ分割処理やシーケンスナンバ付与処理やタイミング送信処理等を行わずに、アクセスルータＡＲ１に対して転送する。
【０１４９】
ここで、ルータＲＴ２は、処理中のデータを処理不要のデータが追い越し、アクセスルータＡＲ１への送信の際に当初とデータの順序が逆転することを避けるために、ステップ３０９において、例えば、処理中のデータを送信し終わるまで処理不要のデータをバッファして待ち合わせ処理を行う等のバッファ制御を取ることができる。
【０１５０】
アクセスルータＡＲ１は、ステップ３１１において、最初に受信したデータについて、データ分割処理及びシーケンスナンバの付与処理が施されていないことを検出し、ステップ３１２において、当該データ及び当該データ以降に受信するデータについて、データ分割処理を行い、最後に付与されていたシーケンスナンバの続きからシーケンスナンバを付与する。この結果、シーケンスナンバの連続性が保たれる。
【０１５１】
ステップ３１３において、アクセスルータＡＲ１は、それまで通りの送信タイミングで、アクセスポイントＡＰ１及びＡＰ２に対して、引き続きタイミング送信処理を行い、ステップ３１４において、各アクセスポイントＡＰ１及びＡＰ２は、移動端末ＭＮ１に対して、それまで通りの送信タイミングでタイミング送信処理を継続する。
【０１５２】
＜パターン３＞
パターン３は、図１に示すネットワークにおいて、移動端末ＭＮ１が、アクセスポイントＡＰ１乃至ＡＰ３と接続しており、ルータＲＴ２及びアクセスルータＡＲ１が、制御ポイントとなっていた場合において、移動端末ＭＮ１が、アクセスポイントＡＰ１へのブランチを削除することにより、制御ポイントとしてアクセスルータＡＲ１が削除される（すなわち、ルータＲＴ２のみで、ソフトハンドオーバに係る処理を行うように切り換える）場合に相当する。
【０１５３】
すなわち、パターン３は、最上流制御ポイント（ルータＲＴ２）以外の下流制御ポイント（アクセスルータＡＲ１）が、制御ポイントから削除される場合である。
【０１５４】
かかる場合、本実施形態に係る無線データ通信システムは、図９に示すように動作することによってデータのロスを発生させること無く、制御ポイントの切り換えを行うことが出来る。
【０１５５】
図９に示すように、ステップ４０１において、アクセスポイントＡＰ１のブランチ削除前の状態として、制御ポイントであるルータＲＴ２及びアクセスルータＡＲ１と、アクセスポイントＡＰ１乃至ＡＰ３と、移動端末ＭＮ１との間で、同期制御が確立している。
【０１５６】
ステップ４０２において、移動端末ＭＮ１が、制御サーバ５０に対して、アクセスポイントＡＰ１とのブランチが削除されたこと、すなわち、アクセスポイントＡＰ１との接続が切断されたことを通知する。かかる通知は、ＭＮ１からに制御サーバ５０に対して行われてもよいし、当該切断を検出したアクセスポイントＡＰ１から制御サーバ５０に対して行われてもよい。
【０１５７】
ステップ４０３において、制御サーバ５０は、上述の通知を契機に、計算の結果、例えば、アクセスルータＡＲ１を制御ポイントから削除することを決定する。そして、制御サーバ５０は、アクセスルータＡＲ１に対して、制御ポイントから削除されることを指示する制御ポイント変更情報を送信し、アクセスポイントＡＰ２に対して、自分の直接上流の制御ポイントがルータＲＴ２に変更されることを指示する制御ポイント変更情報を送信し、ルータＲＴ２に対して、下流のアクセスルータＡＲ１が制御ポイントから削除され、アクセスポイントＡＰ２が直接下流となることを指示する制御ポイント変更情報を送信する。
【０１５８】
ステップ４０４において、アクセスルータＡＲ１（旧下流制御ポイント）は、上述の制御ポイント変更情報を契機に、アクセスポイントＡＰ１に対するコピー処理及びデータ送信処理を停止する。また、ステップ４０５において、アクセスルータＡＲ１は、必要に応じて、アクセスポイントＡＰ１との間の同期情報の保持を解除する。但し、アクセスルータＡＲ１は、アクセスポイントＡＰ２に対しては継続してタイミング送信処理を行う。
【０１５９】
ステップ４０６において、継続して最上流制御ポイントであるルータＲＴ２は、ステップ４０３で送信された制御ポイント変更情報を契機として、アクセスポイントＡＰ２との間のデータ遅延及びタイミング差を測定する。
【０１６０】
ステップ４０７において、アクセスルータＡＲ１は、それまで使用していたデータ遅延やタイミング差や送信タイミング等の同期情報を、ルータＲＴ２に送信する。なお、ルータＲＴ２が、かかる同期情報を事前に取得していた場合、ステップ４０７をスキップしてもよい。
【０１６１】
ステップ４０８において、ルータＲＴ２は、ステップ４０６における測定結果及びステップ４０７における同期情報に基づいて、アクセスポイントＡＰ２に対する送信タイミングを決定する。なお、アクセスポイントＡＰ２から移動端末ＭＮ１への送信タイミングは変更されない。
【０１６２】
ルータＲＴ２は、ステップ４０９において、アクセスルータＡＲ１に対して、ＡＲ１へのタイミング送信処理の停止を通知し、ステップ４１０において、必要に応じて、アクセスルータＡＲ１との間の同期情報の保持を解除する。
【０１６３】
ステップ４１１において、アクセスルータＡＲ１は、上述の通知を契機に、ルータＲＴ２からのデータのアクセスポイントＡＰ２へのタイミング送信処理を停止し、当該データをアクセスポイントＡＰ２に中継（転送）するのみとなる。
【０１６４】
ルータＲＴ２は、ステップ４１２において、上流（例えば、ルータＲＴ１）からＬ３フレーム形式のデータを受信し、ステップ４１３において、受信したデータについて、それまでと同じように、データ分割処理と、シーケンスナンバ付与処理と、アクセスポイントＡＰ２及びＡＰ３へのコピー処理を施す。
【０１６５】
ステップ４１４において、ルータＲＴ２は、上述のデータ（Ｌ２フレーム形式）について、各アクセスポイントＡＰ２及びＡＰ３へのタイミング送信処理を行う。ここで、アクセスルータＡＲ１は、ルータＲＴ２からのデータについてバッファ制御を行った後に、当該データをアクセスポイントＡＰ２に転送するように構成されていてもよい。
【０１６６】
ステップ４１５において、各アクセスポイントＡＰ２及びＡＰ３は、それまで通りの送信タイミングで、移動端末ＭＮ１に対するタイミング送信処理を行う。
【０１６７】
＜パターン４＞
パターン４は、図１に示すネットワークにおいて、移動端末ＭＮ１が、アクセスポイントＡＰ２及びＡＰ３と接続しており、ルータＲＴ２のみが、制御ポイントとなっていた場合において、移動端末ＭＮ１が、アクセスポイントＡＰ１へのブランチを追加することにより、制御ポイントとしてアクセスルータＡＲ１が追加される（ルータＲＴ２及びアクセスルータＡＲ１で、ソフトハンドオーバに係る処理を行うように切り換える）場合に相当する。
【０１６８】
すなわち、パターン４は、最上流制御ポイント（ルータＲＴ２）より下流の位置に、新たに制御ポイント（アクセスルータＡＲ１）が追加される場合である。
【０１６９】
かかる場合、本実施形態に係る無線データ通信システムは、図１０に示すように動作することによってデータのロスを発生させること無く、制御ポイントの切り換えを行うことが出来る。
【０１７０】
図１０に示すように、ステップ５０１において、アクセスポイントＡＰ１のブランチ追加前の状態として、制御ポイントであるルータＲＴ２と、アクセスポイントＡＰ２及びＡＰ３と、移動端末ＭＮ１との間で、同期制御が確立している。
【０１７１】
ステップ５０２において、移動端末ＭＮ１が、アクセスポイントＡＰ１との電波状況が良好になったことを制御サーバ５０に通知する。
【０１７２】
ステップ５０３において、制御サーバ５０は、上述の通知を契機に、アクセスポイントＡＰ１のブランチ追加を決定し、計算の結果、例えば、アクセスルータＡＲ１を制御ポイントとして追加することを決定する。そして、制御サーバ５０は、アクセスポイントＡＰ２に対して、自分の直流上流の制御ポイントがアクセスルータＡＲ１になることを指示する制御ポイント変更情報を送信し、アクセスルータＡＲ１に対して、アクセスポイントＡＰ１及びＡＰ２と、ルータＲＴ２との間の制御ポイントとなることを指示する制御ポイント変更情報を送信し、ルータＲＴ２に対して、アクセスポイントＡＰ２が自分の直接下流のＡＰでは無くなり、新たに下流制御ポイントとしてアクセスルータＡＲ１が追加されることを指示する制御ポイント変更情報を送信する。
【０１７３】
ステップ５０４において、アクセスルータＡＲ１は、上述の制御ポイント変更情報を契機に、自分の直接下流のアクセスポイントＡＰ１及びＡＰ２との間のデータ遅延及びタイミング差を測定する。
【０１７４】
ステップ５０５において、アクセスルータＡＲ１は、ステップ５０４で測定したデータ遅延及びタイミング差等の同期情報を、ルータＲＴ２に通知する。
【０１７５】
ステップ５０６において、移動端末ＭＮは、計測された、アクセスポイントＡＰ２（又は、アクセスポイントＡＰ３）から通知されるクロックと、アクセスポイントＡＰ１から通知されるクロックとのタイミング差を、ルータＲＴ２に通知する。
【０１７６】
ステップ５０７において、ルータＲＴ２は、アクセスルータＡＲ１との間のデータ遅延及びタイミング差を測定する。ステップ５０８において、ルータＲＴ２は、それまで使用していた同期情報と、ステップ５０５で通知された同期情報と、ステップ５０６で通知された同期情報（タイミング差）と、ステップ５０７で測定した同期情報とに基づいて、アクセスルータＡＲ１からアクセスポイントＡＰ１及びＡＰ２への送信タイミングと、ルータＲＴ２からアクセスルータＡＲ１への送信タイミングと、アクセスルータＡＰ１から移動端末ＭＮ１への送信タイミングとを決定する。
【０１７７】
ルータＲＴ２は、ステップ５０９において、アクセスルータＡＲ１からアクセスポイントＡＰ１及びＡＰ２への送信タイミングを、アクセスルータＡＲ１に通知し、ステップ５１０において、アクセスルータＡＰ１から移動端末ＭＮ１への送信タイミングを、アクセスポイントＡＰ１に通知する。
【０１７８】
ステップ５１１において、ルータＲＴ２は、以降のデータのアクセスポイントＡＰ１への直接送信を停止する。すなわち、ルータＲＴ２は、以降のデータをアクセスルータＡＲ１に送信し、アクセスルータＡＲ１が、当該データについてタイミング送信処理を行う。また、ルータＲＴ２は、必要に応じて、アクセスポイントＡＰ１との間の同期情報の保持を解除する。
【０１７９】
ステップ５１２において、ルータＲＴ２は、ルータＲＴ１を介して通信相手ＣＮ１からのＬ３フレーム形式のデータを受信する。ステップ５１３において、ルータＲＴ２は、受信したデータについて、データ分割処理と、それまでの続きのシーケンスナンバを用いたシーケンスナンバ付与処理と、アクセスルータＡＲ１及びアクセスポイントＡＰ３に対するコピー処理とを行う。
【０１８０】
ステップ５１４において、ルータＲＴ２は、当該データ（Ｌ２フレーム形式）について、アクセスルータＡＲ１及びアクセスポイントＡＰ３に対してタイミング送信処理を行う。
【０１８１】
ステップ５１５において、アクセスルータＡＲ１は、当該データ（Ｌ２フレーム形式）について、アクセスポイントＡＰ１及びＡＰ２に対するコピー処理を行う。そして、ステップ５１６において、アクセスルータＡＲ１は、当該データ（Ｌ２フレーム形式）について、アクセスポイントＡＰ１及びＡＰ２に対して、タイミング送信処理を行う。
【０１８２】
ステップ５１７において、各アクセスポイントＡＰ２及びＡＰ３は、引き続き移動端末ＭＮ１に対してタイミング送信処理を行い、アクセスポイントＡＰ１は、新たに通知された送信タイミングに基づいてタイミング送信処理を行う。
【０１８３】
第２に、図１１乃至図１４を参照して、上り方向の無線通信における無線データ通信システムの動作について説明する。以下のパターン１乃至４は、上述の下り方向の無線通信の場合と同じである。
【０１８４】
＜パターン１＞
ステップ６０１において、アクセスポイントＡＰ３へのブランチ追加前の状態として、アクセスルータＡＲ１のみが、制御ポイントであり、アクセスルータＡＲ１が、アクセスポイントＡＰ１及びＡＰ２からの上りデータ（Ｌ２フレーム形式）について、選択合成処理と、移動端末ＭＮ１との再送制御処理（必要な場合、以下同様）と、Ｌ３フレーム形式のデータへの再構築処理を行っている。
【０１８５】
ステップ６０２において、移動端末ＭＮ１が、アクセスポイントＡＰ３との電波状況が良好になったことを、制御サーバ５０に通知する。
【０１８６】
ステップ６０３において、制御サーバ５０は、上述の通知を契機に、アクセスポイントＡＰ３のブランチ追加を決定し、計算の結果、例えば、ルータＲＴ２を制御ポイントとして追加することを決定する。そして、制御サーバ５０は、アクセスルータＡＲ１に対して、上流のルータＲＴ２が制御ポイントとなることを指示する制御ポイント変更情報を送信し、ルータＲＴ２に対して、最上流制御ポイントとなることを指示する制御ポイント変更情報を送信し、アクセスポイントＡＰ３に対して、ルータＲＴ２が自分の直接上流の制御ポイントとなることを指示する制御ポイント変更情報を送信する。
【０１８７】
ステップ６０４において、ルータＲＴ２（新最上流制御ポイント）は、上述の制御ポイント変更情報を契機に、選択合成処理と、再送制御処理と、再構築制御処理を開始する。
【０１８８】
ステップ６０５において、ルータＲＴ２は、アクセスルータＡＲ１（旧最上流制御ポイント）及びアクセスポイントＡＰ３に対して、上りデータ（Ｌ２フレーム形式）の受信開始を通知する。
【０１８９】
ステップ６０６において、上述の受信開始の通知を受けたアクセスルータＡＲ１は、以降、アクセスポイントＡＰ１及びＡＰ２から受信するＬ２フレーム形式のデータに対して、選択合成処理のみを継続し、再送制御処理及び再構築処理を停止する。
【０１９０】
アクセスルータＡＲ１は、ステップ６０７において、アクセスポイントＡＰ１及びＡＰ２からＬ２フレーム形式のデータ（分割データ）を受信すると、ステップ６０８において、同じシーケンスナンバを持つデータに対する選択合成処理を実施する。
【０１９１】
ステップ６０９において、アクセスルータＡＲ１は、選択合成後のＬ２フレーム形式のデータをルータＲＴ２に送信する。この時、アクセスルータＡＲ１は、必要に応じて、当該データに対してＩＰカプセル化処理等を行う。
【０１９２】
ステップ６１０において、ルータＲＴ２は、アクセスポイントＡＰ３からの上りデータ（Ｌ２フレーム形式）を受信する。
【０１９３】
ステップ６１１において、ルータＲＴ２は、アクセスルータＡＲ１からのデータとアクセスポイントＡＰ３からのデータとで、同じシーケンスナンバを持つデータについて選択合成処理を行い、選択合成されたデータについて再送制御処理及び再構築処理を行う。ステップ６１２において、ルータＲＴ２は、再構築されたＬ３フレーム形式のデータを、ルータＲＴ１を介して、宛先である通信相手ＣＮ１へ送信する。
【０１９４】
ここで、上記ステップ６０４から６０９までの間、データの２重作成及びデータのロスを防止するため、以下のような対策を講ずることができる。
【０１９５】
ルータＲＴ２（新最上流制御ポイント）は、アクセスルータＡＲ１（旧最上流制御ポイント）からの再構築済みのデータについては、そのまま通信相手ＣＮ１宛にフォワードする。
【０１９６】
また、ルータＲＴ２（新最上流制御ポイント）は、アクセスルータＡＲ１（旧最上流制御ポイント）からの最初のＬ２フレーム形式のデータに対して、選択合成処理と再送制御処理と再構築処理を開始するが、アクセスポイントＡＰ３からは受信しているがアクセスルータＡＲ１からは受信していないＬ２フレーム形式のデータについては破棄する。このようなＬ２フレーム形式のデータは、既にアクセスルータＡＲ１において再構築済みであり、アクセスポイントＡＰ３からのデータについても再構築処理を行うと同じＬ３フレーム形式のデータが２つ作成されてしまうためである。
【０１９７】
また、アクセスルータＡＲ１（旧最上流制御ポイント）は、ステップ６０６において、Ｌ３フレーム形式のデータを再構築中であった場合、当該Ｌ３フレーム形式のデータを完成させないまま、次のＬ２フレーム形式のデータを上流（ルータＲＴ２）に送信する可能性がある。したがって、確実にＬ３フレーム形式のデータを再構築するために、例えば、以下のような制御が考えられる。
【０１９８】
一つ目は、アクセスルータＡＲ１（旧最上流制御ポイント）が、ステップ６０６において、再構築途中であるＬ３フレーム形式のデータについては最後まで再構築し、その次のＬ２フレーム形式のデータから、再構築処理を施すことなくルータＲＴ２（新最上流制御ポイント）に送信を開始する。
【０１９９】
二つ目は、アクセスルータＡＲ１（旧最上流制御ポイント）及びルータＲＴ２（新最上流制御ポイント）が、それぞれで半分ずつ再構築したＬ３フレーム形式のデータを、いずれか（例えば、ルータＲＴ２）で１つに結合させる。
【０２００】
＜パターン２＞
図１２に示すように、ステップ７０１において、アクセスルータＡＲ１（下流制御ポイント）が、アクセスポイントＡＰ１及びＡＰ２からのＬ２フレーム形式のデータに対して選択合成のみを行い、選択合成後のＬ２フレーム形式のデータを上流の制御ポイントであるルータＲＴ２へ送信している。また、ルータＲＴ２（最上流制御ポイント）が、アクセスルータＡＲ１及びアクセスポイントＡＰ３からのＬ２フレーム形式のデータに対して、選択合成処理と再送制御処理と再構築処理とを行い、再構築したＬ３フレーム形式のデータを通信相手ＣＮ１宛に送信している。
【０２０１】
ステップ７０２において、移動端末ＭＮ１が、制御サーバ５０に対して、アクセスポイントＡＰ３とのブランチが削除されたことを通知する。かかる通知は、移動端末ＭＮ１から制御サーバ５０に対して行われてもよいし、切断を検出した亜屈すポイントＡＰ３から制御サーバ５０に対して行われてもよい。
【０２０２】
ステップ７０３において、制御サーバ５０は、かかる通知を契機に、計算の結果、例えば、ルータＲＴ２を制御ポイントから削除することを決定する。そして、制御サーバ５０は、アクセスルータＡＲ１に対して、上流のルータＲＴ２が制御ポイントから削除され、アクセスルータＡＲ１が最上流制御ポイントとなることを指示する制御ポイント変更情報を送信し、ルータＲＴ２に対して、制御ポイントから削除されることを指示する制御ポイント変更情報を送信する。
【０２０３】
制御ポイント変更情報を受信したアクセスルータＡＲ１（新最上流制御ポイント）は、ステップ７０４において、アクセスポイントＡＰ１及びＡＰ２からのＬ２フレーム形式のデータについて、選択合成処理に加えて、再送制御処理及び再構築処理を開始し、ステップ７０５において、その旨をルータＲＴ２（旧最上流制御ポイント）に通知する。
【０２０４】
ステップ７０６において、ステップ７０５の通知を受けたルータＲＴ２は、選択合成処理と再送制御処理と再構築処理とを停止して、制御のためのリソースの解放等を行う。但し、アクセスルータＡＲ１からＬ２フレーム形式のデータを受信している場合は、その処理が終了した後に、当該処理を停止する。
【０２０５】
アクセスルータＡＲ１は、ステップ７０７において、アクセスポイントＡＰ１及びＡＰ２からＬ２フレーム形式のデータを受信し、受信したデータに対して選択合成処理と再送制御処理と再構築処理とを行う。
【０２０６】
ステップ７０９において、アクセスルータＡＲ１は、再構築後のＬ３フレーム形式のデータを、ルータＲＴ２を介して、通信相手ＣＮ１宛に送信する。ここで、ルータＲＴ２は、アクセスルータＡＲ１からのデータについてバッファ制御を行うように構成されていてもよい。
【０２０７】
また、ステップ７０３から７０９の間、ルータＲＴ２（旧最上流制御ポイント）は、ステップ７０３において、Ｌ３フレーム形式のデータを再構築中であった場合、次のＬ２フレーム形式のデータを受信することができないため、当該Ｌ３フレーム形式のデータを完成させることができない可能性がある。また、かかる場合、アクセスルータＡＲ１（新最上流制御ポイント）は、途中からＬ３フレーム形式のデータを再構築する形になる可能性がある。確実に、Ｌ３フレーム形式のデータを再構築するには、例えば、次のような制御を行うことが有効である。
【０２０８】
一つ目は、アクセスルータＡＲ１（新最上流制御ポイント）は、ステップ７０３において、送信すべきＬ２フレーム形式のデータが、Ｌ３フレーム形式のデータの途中のデータか否かを判断し、途中のデータであった場合には、当該途中のデータをそのままルータＲＴ２（旧最上流制御ポイント）に送信し、次のＬ３フレーム形式のデータを構成する最初のデータを用いて再構築処理を開始する。
【０２０９】
二つ目は、ルータＲＴ２（旧最上流制御ポイント）及びアクセスルータＡＲ１（新最上流制御ポイント）が、それぞれ半分ずつ再構築したＬ３フレーム形式のデータを、いずれか（例えば、ルータＲＴ２）で１つに結合させる。
【０２１０】
＜パターン３＞
図１３に示すように、ステップ８０１において、アクセスポイントＡＰ１のブランチ削除前の状態として、下流の制御ポイントであるアクセスルータＡＲ１が、アクセスポイントＡＰ１及びＡＰ２からのＬ２フレーム形式のデータについて、選択合成処理のみ行い、選択合成後のＬ２フレーム形式のデータを上流の制御ポイントであるルータＲＴ２へ送信している。
【０２１１】
また、ルータＲＴ２（最上流制御ポイント）は、アクセスルータＡＲ１及びアクセスポイントＡＰ３からのＬ２フレーム形式のデータについて、選択合成処理と再送制御処理と再構築処理とを行い、再構築したＬ３フレーム形式のデータを通信相手ＣＮ１宛に送信している。
【０２１２】
ステップ８０２において、移動端末ＭＮ１が、制御サーバ５０に対して、アクセスポイントＡＰ１とのブランチが削除されたことを通知する。かかる通知は、移動端末ＭＮ１から制御サーバ５０に対して行われてもよいし、切断を検出したアクセスポイントＡＰ１から制御サーバ５０に対して行われてもよい。
【０２１３】
ステップ８０３において、制御サーバ５０は、上述の通知を契機に、計算の結果、例えば、アクセスルータＡＲ１を制御ポイントから削除することを決定する。そして、制御サーバ５０は、アクセスルータＡＲ１に対して、制御ポイントから削除されることを指示する制御ポイント変更情報を送信し、アクセスポイントＡＰ２に対して、自分の直接上流の制御ポイントがルータＲＴ２に変更されることを指示する制御ポイント変更情報を送信し、ルータＲＴ２に対して、下流のアクセスルータＡＲ１が制御ポイントから削除され、アクセスポイントＡＰ２が直接下流となることを指示する制御ポイント変更情報を送信する。
【０２１４】
ステップ８０４において、アクセスルータＡＲ１（旧下流制御ポイント）は、上述の制御ポイント変更情報を契機に、アクセスポイントＡＰ１及びＡＰ２からのＬ２フレーム形式のデータの選択合成処理を停止する。そして、アクセスルータＡＲ１は、単に、当該データをルータＲＴ２に中継（転送）する。
【０２１５】
ステップ８０５において、ルータＲＴ２は、アクセスルータＡＲ１を介してアクセスポイントＡＰ２からのＬ２フレーム形式のデータを受信すると共に、アクセスポイントＡＰ３からのＬ２フレーム形式のデータを受信する。ここで、アクセスルータＡＲ１は、アクセスポイントＡＰ２からのＬ２フレーム形式のデータについてバッファ制御を行ってもよい。
【０２１６】
ルータＲＴ２は、ステップ８０６において、アクセスポイントＡＰ１及びＡＰ３から受信したＬ２フレーム形式のデータについて、それまで通り、選択合成処理と再送制御処理と再構築処理を行い、ステップ８０７において、完成したＬ３フレーム形式のデータを、ルータＲＴ１を介して通信相手ＣＮ１宛に送信する。
【０２１７】
＜パターン４＞
図１４に示すように、ＡＰ１のブランチ追加前の状態として、最上流制御ポイントであるルータＲＴ２が、アクセスポイントＡＰ２及びＡＰ３からのＬ２フレーム形式のデータについて、選択合成処理と再送制御処理と再構築処理とを行っている。アクセスルータＡＲ１は、アクセスポイントＡＰ２からのＬ２フレーム形式のデータを、ルータＲＴ２に対して中継（転送）しているのみである。
【０２１８】
ステップ９０２において、移動端末ＭＮ１が、アクセスポイントＡＰ１との電波状況が良好になったことを制御サーバ５０に通知する。
【０２１９】
ステップ９０３において、制御サーバ５０は、かかる通知を契機に、アクセスポイントＡＰ１のブランチ追加を決定し、計算の結果、例えば、アクセスルータＡＲ１を制御ポイントとして追加することを決定する。
【０２２０】
そして、制御サーバ５０は、アクセスポイントＡＰ２に対して、自分の直接上流の制御ポイントがアクセスルータＡＲ１になることを指示する制御ポイント変更情報を送信し、アクセスルータＡＲ１に対して、アクセスポイントＡＰ１乃至ＡＰ２とルータＲＴ２との間の制御ポイントとなることを指示する制御ポイント変更情報を送信し、ルータＲＴ２に対して、アクセスポイントＡＰ２が自分の直接下流に接続されるものではなくなり、新たに下流の制御ポイントとしてアクセスルータＡＲ１が追加されることを指示する制御ポイント変更情報を送信する。
【０２２１】
ステップ９０４において、アクセスルータＡＲ１は、上述の制御ポイント変更情報を契機に、アクセスポイントＡＰ１及びＡＰ２からのＬ２フレーム形式のデータについての選択合成処理を開始する。
【０２２２】
ステップ９０５において、アクセスルータＡＲ１は、アクセスポイントＡＰ１及びＡＰ２に対して、Ｌ２フレーム形式のデータの受信開始を通知する。
【０２２３】
アクセスルータＡＲ１は、ステップ９０６において、アクセスポイントＡＰ１及びＡＰ２からのＬ２フレーム形式のデータを受信し、ステップ９０７において、受信したデータについて選択合成処理のみ行い、ステップ９０８において、選択合成後のＬ２フレーム形式のデータを上流の制御ポイントであるルータＲＴ２に送信する。
【０２２４】
ステップ９０９において、ルータＲＴ２は、アクセスポイントＡＰ３からもＬ２フレーム形式のデータを継続して受信する。
【０２２５】
ルータＲＴ２は、ステップ９１０において、アクセスルータＡＲ１及びアクセスポイントＡＰ３からのＬ２フレーム形式のデータについて、それまで通り、選択合成処理と再送制御処理と再構築処理とを行い、ステップ９１１において、完成したＬ３フレーム形式のデータを、ルータＲＴ１を介して通信相手ＣＮ１宛に送信する。
【０２２６】
本実施形態では、移動端末ＭＮ１が、１度に接続出来るブランチの数を最大３としたため、制御ポイントの数は最大２となっているが、本発明は、これに限定されるものではなく、任意のブランチの数や任意の制御ポイントの数の場合にも適用出来る。
【０２２７】
すなわち、本発明は、追加や削除されるのが最上流制御ポイントであるか否か等を判断し、上述の４つのパターンのうち対応する場合の動作を選択して実施すればよい。
【０２２８】
また、本発明は、上述の４つのパターンを適宜組み合わせることにより、全てのパターンの制御ポイントの切り換えに対応出来る。例えば、ブランチが１つの状態と２つの状態との間で遷移する場合に、制御ポイントが、追加されたり削除されたりする場合でも、上記の組み合わせにより対応出来る。
【０２２９】
また、制御ポイントが複数存在する時に、その間の経路に制御ポイント以外のルータが存在しても構わない。その場合、そのルータは、単にデータを中継するのみである。
【０２３０】
（本実施形態に係る無線パケット通信システムの作用・効果）
本実施形態に係る無線パケット通信システムによれば、上り又は下り方向の無線データ通信において、移動端末ＭＮ１がソフトハンドオーバを行っている際に、移動端末ＭＮ１のソフトハンドオーバに係る処理を行う無線制御装置（制御ポイント）を変更することによって、データの送受信の経路を最適化することができ、ネットワークリソースの有効活用を図ることができる。
【０２３１】
また、本実施形態に係る無線パケット通信システムによれば、今までの制御ポイント（第２の無線制御装置）の上流に制御ポイント（第１の無線制御装置）を配置することができ、今まで最上流に配置されていた制御ポイント（第１の無線制御装置）における処理を停止することができ、今まで最上流に配置されていた制御ポイント（第１の無線制御装置）より下流に配置されていた制御ポイント（第２の無線制御装置）における処理を停止することができ、また、今まで最上流に配置されていた制御ポイント（第１の無線制御装置）の下流に制御ポイント（第２の無線制御装置）を配置することができ、より柔軟なデータの送受信の経路の最適化を図ることができる。
【０２３２】
また、本実施形態に係る無線パケット通信システムによれば、下り方向の無線データ通信において、移動端末ＭＮ１に送信される分割データ（Ｌ２フレーム形式）に付与されるシーケンスナンバの連続性を損なうことなく、制御ポイントの変更を行うことができる。
【０２３３】
【発明の効果】
以上説明したように本発明によれば、移動端末ＭＮ１がソフトハンドオーバを行っている際に、ネットワーク内に存在する制御ポイントを、データのロスを発生させること無く変更することが可能な無線データ通信方法、サーバ装置及び無線制御装置を提供することができる。
【図面の簡単な説明】
【図１】本発明の一実施形態に係る無線データ通信システムの全体構成図である。
【図２】本発明の一実施形態に係る無線データ通信システムにおける移動局の機能ブロック図である。
【図３】本発明の一実施形態に係る無線データ通信システムにおけるルータの機能ブロック図である。
【図４】本発明の一実施形態に係る無線データ通信システムにおける制御サーバの機能ブロック図である。
【図５】本発明の一実施形態に係る無線データ通信システムにおいて、制御ポイントの切り換えパターンを示す図である。
【図６】本発明の一実施形態に係る無線データ通信システムにおける下り方向の無線データ通信において、制御ポイントの切り換え動作を示すシーケンス図である。
【図７】本発明の一実施形態に係る無線データ通信システムにおける下り方向の無線データ通信において、制御ポイントの切り換え時のシーケンスナンバの引継動作を示すシーケンス図である。
【図８】本発明の一実施形態に係る無線データ通信システムにおける下り方向の無線データ通信において、制御ポイントの切り換え動作を示すシーケンス図である。
【図９】本発明の一実施形態に係る無線データ通信システムにおける下り方向の無線データ通信において、制御ポイントの切り換え動作を示すシーケンス図である。
【図１０】本発明の一実施形態に係る無線データ通信システムにおける下り方向の無線データ通信において、制御ポイントの切り換え動作を示すシーケンス図である。
【図１１】本発明の一実施形態に係る無線データ通信システムにおける上り方向の無線データ通信において、制御ポイントの切り換え動作を示すシーケンス図である。
【図１２】本発明の一実施形態に係る無線データ通信システムにおける上り方向の無線データ通信において、制御ポイントの切り換え動作を示すシーケンス図である。
【図１３】本発明の一実施形態に係る無線データ通信システムにおける上り方向の無線データ通信において、制御ポイントの切り換え動作を示すシーケンス図である。
【図１４】本発明の一実施形態に係る無線データ通信システムにおける上り方向の無線データ通信において、制御ポイントの切り換え動作を示すシーケンス図である。
【図１５】従来技術に係る無線データ通信システムの全体構成図である。
【図１６】従来技術に係る無線データ通信システムにおける下り方向の無線データ通信の動作を示すシーケンス図である。
【図１７】従来技術に係る無線データ通信システムにおける上り方向の無線データ通信の動作を示すシーケンス図である。
【符号の説明】
ＭＮ１…移動通信端末
１１、３１、５１…送信部
１２、３２、５２…受信部
１３…電波状況監視部
１４、３５…同期制御部
ＡＲ…アクセスルータ
ＲＴ…ルータ
３３…測定部
３４…送信タイミング決定部
３６…データ分割部
３７…シーケンスナンバ付与部
３８…コピー部
３９…選択合成部
４０…再構築部
４１…再送制御部
５０…制御サーバ
５３…制御ポイント管理部
【図１】
2004260620.tif 000003
【図２】
2004260620.tif 000004
【図３】
2004260620.tif 000005
【図４】
2004260620.tif 000006
【図５】
2004260620.tif 000007
【図６】
2004260620.tif 000008
【図７】
2004260620.tif 000009
【図８】
2004260620.tif 000010
【図９】
2004260620.tif 000011
【図１０】
2004260620.tif 000012
【図１１】
2004260620.tif 000013
【図１２】
2004260620.tif 000014
【図１３】
2004260620.tif 000015
【図１４】
2004260620.tif 000016
【図１５】
2004260620.tif 000017
【図１６】
2004260620.tif 000018
【図１７】
2004260620.tif 000019